(57)【要約】【課題】従来はハリスのついたイカリ針を、スポンジに付けた溝に、少し間隔を置いて数本挟んだり、磁石で針を固定したりし、ハリスはケースの中にまとめて無理に押さえつけて収納していたため、ハリスが鮎釣りに使えないぐらい曲がったり、折れ曲がったようなくせがついたりして、多くの釣り針が釣りに使えなくなったり、取り出しにくく、指を痛めてしまったりなどの問題があった。【解決手段】ハリス収納部の入口近傍に弾性体の突起を設け、ハリスを緩い束縛で収納するとともに、ハリス収納部と釣り針収納部の間に切り込み部を有する側壁を設けることによって課題を解決し、ハリスを痛めることなく、釣り針を安全に素早く出し入れできる釣り針収納具を安価に提供できるようにした。【選択図】  図３５
2005046007.tif 000002
【特許請求の範囲】
【請求項１】
魚釣り用の、イカリ針や、鼻環と逆さ針や、鼻環と逆さ針と背針などの少なくとも１種類（以下、それぞれを特に区別する必要がある場合を除いて、釣り針ともいう）を収納することができる釣り針収納具において、前記釣り針収納具は、つまみ糸などの釣り糸やハリスなど（以下、それぞれを特に区別する必要がある場合を除いて、ハリスともいう）のついた釣り針を複数収納することができる釣り針収納具本体を少なくとも１つ有しており、前記釣り針収納具本体は、ハリスのついた釣り針を複数保持することができる釣り針保持部を有する釣り針収納部を少なくとも一つと、前記釣り針収納部に収納された釣り針に接続されているハリスを収納することができる空間部を有するハリス収納部を少なくとも１つと、切り込み部と定義する前記ハリスを挿入することができる切欠部あるいはスリットを少なくとも一つ有する仕切部を少なくとも一つ有しており、前記仕切部は前記釣り針収納部と前記ハリス収納部の間に配置されており、前記ハリス収納部は、それが形成されている前記釣り針収納具本体の中心のまわりを一周する環状になっているとともに、ハリスを入れることができるような全周にわたって形成されている開口部を有する中空状態になっており、さらに、前記ハリス収納部の開口部の近傍と前記仕切部の少なくとも一方には弾性体の突起（以下、単に突起ともいう）が設けられており、前記突起は突起の根本の断面の径方向の最大寸法よりも突起の長さの方が長い棒状突起と定義する突起であり、さらに、少なくとも１つの前記釣り針収納部と少なくとも１つの前記ハリス収納部と少なくとも１つの前記仕切部の３種類のうちのいずれか１種類あるいはいずれか２種類あるいは３種類が、前記釣り針収納具本体の厚み方向に直交する方向から見た端部（以下、外側部ともいう）または外側部に設けられた凹部（以下、外側部凹部ともいう）と、前記釣り針収納具本体の厚み方向から見た端部（以下、小口側ともいう）のいずれかあるいは全てに配置されていることを特徴とする釣り針収納具。
【請求項２】
請求項１に記載の釣り針収納具において、前記釣り針がイカリ針であることを特徴とする釣り針収納具。
【請求項３】
請求項１に記載の釣り針収納具において、前記釣り針が鼻環と逆さ針であることを特徴とする釣り針収納具。
【請求項４】
請求項１に記載の釣り針収納具において、前記釣り針が鼻環と逆さ針と背針であることを特徴とする釣り針収納具。
【請求項５】
請求項１〜４のいずれか１項に記載の釣り針収納具において、少なくとも１つの前記釣り針収納具本体における前記突起が、その根本の断面の平均寸法よりも長さの方が１．５倍以上長い突起であることを特徴とする釣り針収納具。
【請求項６】
請求項１〜５のいずれか１項に記載の釣り針収納具において、前記釣り針収納部の釣り針保持部が、そこに収納する釣り針の針軸と針先の少なくとも一方を挿入して保持することが出来る溝やスリットや穴などのような釣り針差し込み部（以下、釣り針収納溝ともいう）を有していることを特徴とする釣り針収納具。
【請求項７】
請求項１〜６のいずれか１項に記載の釣り針収納具において、前記釣り針収納部の釣り針保持部に磁石が取り付けられていることを特徴とする釣り針収納具。
【請求項８】
請求項１〜７のいずれか１項に記載の釣り針収納具において、前記切り込み部の形状が、前記仕切部の外周にある切り込み部の開口部よりも前記切り込み部の底部の近傍が狭い形状に形成されていることを特徴とする釣り針収納具。
【請求項９】
請求項１〜８のいずれか１項に記載の釣り針収納具において、前記仕切部が、前記切り込み部を少なくとも一つ有する板状もしくは壁状構造物（以下、側壁ともいう）であることを特徴とする釣り針収納具。
【請求項１０】
請求項９に記載の釣り針収納具において、少なくとも１つの前記側壁が、前記ハリス収納部の中心のまわりに一周している形状であることを特徴とする釣り針収納具。
【請求項１１】
請求項１〜１０のいずれか１項に記載の釣り針収納具において、前記仕切部の少なくとも一部が前記ハリス収納部の開口部に続いて形成されている内壁（以下、内側壁ともいう）を構成していることを特徴とする釣り針収納具。
【請求項１２】
請求項１〜１１のいずれか１項に記載の釣り針収納具において、少なくとも１つの前記釣り針収納具本体は、その外形形状が、その厚みＤ１が４〜２８ｍｍで、当該釣り針収納具本体の厚み方向に直交する平面への当該釣り針収納具本体の投影の径方向最小寸法が厚みＤ１よりも大きい寸法である扁平形状と定義する形状であることを特徴とする釣り針収納具。
【請求項１３】
請求項１２に記載の釣り針収納具において、少なくとも１つの前記釣り針収納具本体は、当該釣り針収納具本体の厚み方向に直交する平面への当該釣り針収納具本体の投影の径方向最大寸法が５０〜８０ｍｍであることを特徴とする釣り針収納具。
【請求項１４】
請求項１〜１３のいずれか１項に記載の釣り針収納具において、少なくとも１つの前記釣り針収納具本体は、前記外側部または外側部凹部と前記小口側の境界部分に前記仕切部を有することを特徴とする釣り針収納具。
【請求項１５】
請求項１〜１４のいずれか１項に記載の釣り針収納具において、少なくとも１つの前記釣り針収納具本体は、前記小口側に前記ハリス収納部を少なくとも一つと、前記釣り針収納部を少なくとも一つと、前記ハリス収納部と前記釣り針収納部の間にある前記仕切部を少なくとも一つ有しており、前記小口側にある前記ハリス収納部は前記小口側にある前記釣り針収納部よりも前記小口側の外周側にあることを特徴とする釣り針収納具。
【請求項１６】
請求項１〜１５のいずれか１項にに記載の釣り針収納具において、複数の前記切り込み部が、切り込み部中心線と定義する当該切り込み部の開口部の中心と当該切り込み部の底部の中心を結んだ直線が、前記仕切部の外周にある当該切り込み部の開口部の中心と前記仕切部の中心とを結んだ直線である径方向直線と所定の角度θ１をなして前記径方向線分に対して傾けて形成されており、前記所定の角度θ１の大きさが１５°〜４５°の範囲のいずれかの値であることを特徴とする釣り針収納具。
【請求項１７】
請求項６〜１６のいずれか１項に記載の釣り針収納具において、前記釣り針収納部に、釣り針を挟み込んで保持する釣り針収納溝が、前記外側部または外側部凹部内の外周部表面近傍に、前記外周部を少なくとも１周するような線状の連続した溝として形成されていることを特徴とする釣り針収納具。
【請求項１８】
請求項６〜１７のいずれか１項に記載の釣り針収納具において、前記釣り針収納部に、前記釣り針収納溝が、前記外側部または外側部凹部内の外周部表面近傍に、前記外周部の周方向に沿って、前記周方向と所定の角度をなし、その長さが２〜２０ｍｍの比較的短い不連続の釣り針収納溝として複数個形成されていることを特徴とする釣り針収納具。
【請求項１９】
請求項１８に記載の釣り針収納具において、全ての前記不連続の釣り針収納溝が、前記外側部または外側部凹部内の前記外周部の前記周方向と４５度未満の同じ角度をなして配置されていることを特徴とする釣り針収納具。
【請求項２０】
請求項１８に記載の釣り針収納具において、少なくとも一対の隣り合った２つの前記不連続の釣り針収納溝の一方の釣り針収納溝が、前記周方向となす前記所定の角度が前記周方向から釣り針収納溝の方向へ時計回りに測った角度である釣り針収納溝であり、他方の釣り針収納溝が前記周方向となす前記所定の角度が前記周方向から釣り針収納溝の方向へ反時計回りに測った角度である釣り針収納溝であることを特徴とする釣り針収納具。
【請求項２１】
請求項６〜２０のいずれか１項に記載の釣り針収納具において、前記釣り針収納部としての釣り針収納溝が、前記小口側に、前記小口側の中心のまわりに、前記小口側の外周部の周方向に沿って、前記周方向と所定の角度をなし、その長さが２〜２０ｍｍの比較的短い不連続の釣り針収納溝として複数個形成されていることを特徴とする釣り針収納具。
【請求項２２】
請求項６〜２１のいずれか１項に記載の釣り針収納具において、少なくとも一つの前記釣り針収納溝の深さ方向に切った断面形状が、クサビ型、Ｓ字型、Ｔ字型、波形、凹凸形状のいずれかあるいはそれらの組み合わせ形状を有する形状であることを特徴とする釣り針収納具。
【請求項２３】
請求項６〜２２のいずれか１項に記載の釣り針収納具において、前記釣り針収納溝の深さ方向に切った断面の入口部分に面取り加工が施されていることを特徴とする釣り針収納具。
【請求項２４】
請求項１〜２３のいずれか１項に記載の釣り針収納具において、前記ハリス収納部に設けられている前記突起は、前記ハリス収納部を構成する対向する一対の内側壁のうちの一方の内側壁の外周部近傍に、前記一方の内側壁から他方の内側壁の方向へ向けて突出して設けられており、他方の内側壁には設けられておらず、前記一方の内側壁の外周部近傍に設けられている前記突起の長さは、当該一対の内側壁の前記突起の設けられている位置での間隔の２分の１よりも長く、当該一対の内側壁の間隔よりも短いことを特徴とする釣り針収納具。
【請求項２５】
請求項１〜２３のいずれか１項に記載の釣り針収納具において、前記ハリス収納部に設けられている前記突起は、前記ハリス収納部を構成する対向する一対の内側壁の双方の内側壁に、一方の内側壁から他方の内側壁の方向へ向けて突出して設けられており、前記対向する一対の内側壁の一方の内側壁に設けられている突起の長さとその直近の他方の内側壁に設けられている突起の長さの合計は、当該一対の内側壁の前記突起の設けられている位置での間隔の２分の１よりも長く、当該一対の内側壁の間隔よりも短いことを特徴とする釣り針収納具。
【請求項２６】
請求項２５に記載の釣り針収納具において、前記一方の内側壁に設けられている突起と前記他方の内側壁に設けられている突起が、前記一方の内側壁と前記他方の内側壁が互いに対向して配置されている部分の少なくとも一部の範囲において、前記ハリス収納部の周方向において交互に配置されていることを特徴とする釣り針収納具。
【請求項２７】
請求項６〜２６のいずれか１項に記載の釣り針収納具において、前記釣り針収納具本体の前記外側部または外側部凹部に、前記釣り針収納溝を挟んで少なくとも一対のハリス収納部が設けられていることを特徴とする釣り針収納具。
【請求項２８】
請求項６〜２７のいずれか１項に記載の釣り針収納具において、前記外側部凹部に前記釣り針収納部の前記釣り針収納溝と前記ハリス収納部が設けられており、前記釣り針収納溝の入口部分よりも前記ハリス収納部の入口部分の位置が、前記外側部凹部の入口に近い状態に配置されており、前記釣り針収納溝と前記ハリス収納部の間に前記側壁が設けられていることを特徴とする釣り針収納具。
【請求項２９】
請求項９〜２８のいずれか１項に記載の釣り針収納具において、前記釣り針収納具本体の前記外側部または外側部凹部に形成されている前記釣り針収納溝と各ハリス収納部との間に、それぞれ少なくとも一つの前記側壁が形成されており、前記側壁は、それに対向している各ハリス収納部の内側壁よりも前記外側部の外方に突き出して設けられていることを特徴とする釣り針収納具。
【請求項３０】
請求項９〜２９のいずれか１項に記載の釣り針収納具において、前記釣り針収納具本体の前記小口側に、前記釣り針収納部の前記釣り針収納溝と前記ハリス収納部が形成されており、前記小口側に形成されている前記釣り針収納溝と各ハリス収納部との間に少なくとも一つの側壁が掲載されており、少なくとも一つの前記側壁は、それに対向している前記ハリス収納部の内側壁よりも前記小口部の外方に突き出して設けられていることを特徴とする釣り針収納具。
【請求項３１】
請求項６〜３０のいずれか１項に記載の釣り針収納具において、少なくとも１つの前記釣り針収納溝が小口側に形成されているとともに少なくとも１つの前記ハリス収納部が前記外側部または外側部凹部に形成されており、前記外側部または外側部凹部に形成されているハリス収納部の一部分または全部分が、前記小口側に形成されている釣り針収納溝の溝の入口の位置よりも前記外側部の径方向に関して外側に位置するように配置されていることを特徴とする釣り針収納具。
【請求項３２】
請求項９〜３１のいずれか１項に記載の釣り針収納具において、前記小口側に形成されている釣り針収納溝と前記外側部または外側部凹部に形成されているハリス収納部の間に前記側壁が配置されており、前記側壁が当該釣り針収納具本体の厚み方向に突き出して形成されていることを特徴とする釣り針収納具。
【請求項３３】
請求項９〜３２のいずれか１項に記載の釣り針収納具において、前記小口側に形成されている釣り針収納溝と前記外側部または外側部凹部に形成されているハリス収納部の間に前記側壁が配置されており、前記側壁が当該釣り針収納具本体の外側部方向に突き出して形成されていることを特徴とする釣り針収納具。
【請求項３４】
請求項９〜３３のいずれか１項に記載の釣り針収納具において、少なくとも１つの前記釣り針収納具本体の両側の小口側に前記釣り針収納溝が形成されていることを特徴とする釣り針収納具。
【請求項３５】
請求項１〜３４のいずれか１項に記載の釣り針収納具において、少なくとも１つの前記釣り針収納具本体が、その小口側の中央部近傍に、凹部または前記釣り針収納具本体の小口側の一方の表面から他方の表面まで貫通している貫通孔を有することを特徴とする釣り針収納具。
【請求項３６】
請求項１〜３５のいずれか１項に記載の釣り針収納具において、前記ハリス収納部の中心線の該釣り針収納具本体の厚み方向への投影形状が、円形、楕円形、四角形以上の多角形のいずれかの形状あるいはそれらを組み合わせて形成した形状であることを特徴とする釣り針収納具。
【請求項３７】
請求項１〜３６のいずれか１項に記載の釣り針収納具において、前記釣り針収納具が、少なくとも１つの前記釣り針収納具本体を収納することができるケースを有することを特徴とする釣り針収納具。
【請求項３８】
請求項３７に記載の釣り針収納具において、前記ケースは、前記ケースに前記釣り針収納具本体を一方の小口側を上にして入れた状態で下方に位置する下部ケースと上方に位置する上部ケースとを有しており、前記下部ケースと上部ケースの少なくとも一方が開閉自在に構成されていることを特徴とする釣り針収納具。
【請求項３９】
請求項３７または３８に記載の釣り針収納具において、前記釣り針収納具本体が前記下部ケースに収納された状態で、少なくとも１つの前記釣り針収納溝と少なくとも１つの前記ハリス収納部のハリスを収納する入口の双方が、前記下部ケースの縁の一部よりも上方に位置していることを特徴とする釣り針収納具。
【請求項４０】
請求項３７〜３９のいずれか１項に記載の釣り針収納具において、前記上部ケースと下部ケースの少なくとも一方に、前記釣り針収納具本体の中央部近傍に形成されている前記凹部または前記貫通孔に挿入することが出来る形状と寸法の突出部が形成されていることを特徴とする釣り針収納具。
【請求項４１】
請求項３７に記載の釣り針収納具において、前記ケースに前記釣り針収納具本体を、その一方の小口側を上にして入れた状態で、前記ケースの開閉部を手前にして右側に位置する右ケースと左側に位置する左ケースとを有しており、前記右ケースと左ケースが開閉自在に構成されていることを特徴とする釣り針収納具。
【請求項４２】
請求項３７〜４１のいずれか１項に記載の釣り針収納具において、前記ケースに開閉可能な窓が少なくとも１つ設けられていることを特徴とする釣り針収納具。
【請求項４３】
請求項１〜４２のいずれか１項に記載の釣り針収納具において、前記釣り針収納具本体とそれを収納するケースの少なくとも一方が合成ゴムで形成されていることを特徴とする釣り針収納具。
【請求項４４】
請求項４３に記載の釣り針収納具において、前記釣り針収納具本体とそれを収納するケースの少なくとも一方を形成している合成ゴムとしてシリコーンゴム、ＮＢＲ、ウレタンゴムのいずれかが用いられていることを特徴とする釣り針収納具。
【請求項４５】
請求項１〜４２のいずれか１項に記載の釣り針収納具において、前記釣り針収納具本体とそれを収納するケースの少なくとも一方の少なくとも一部が紙で形成されていることを特徴とする釣り針収納具。
【請求項４６】
請求項４５に記載の釣り針収納具において、前記釣り針収納具本体とそれを収納するケースの少なくとも一方の少なくとも一部を形成している紙に切り込みが形成されていることを特徴とする釣り針収納具。
【請求項４７】
請求項１〜４６のいずれか１項に記載の釣り針収納具において、前記釣り針収納具本体がそれを収納したケースの中で回転可能になっていることを特徴とする釣り針収納具。
【請求項４８】
請求項１〜４７のいずれか１項に記載の釣り針収納具において、前記釣り針保持部が前記釣り針収納具本体もしくはケースに回転可能に装着されていることを特徴とする釣り針収納具。
【発明の詳細な説明】
【０００１】
【発明が属する技術分野】
本発明は、魚釣り用の、イカリ針や、鼻環と逆さ針や、鼻環と逆さ針と背針などの少なくとも１種類（以下、それぞれを特に区別する必要がある場合を除いて、釣り針ともいう）を多数本収納することができる新規の釣り針収納具に関し、具体的には、つまみ糸などの釣り糸やハリスなど（以下、それぞれを特に区別する必要がある場合を除いて、ハリスともいう）のついた釣り針を多数本収納することができる新規の釣り針収納具に関し、さらに具体的には、たとえば鮎釣りに用いるイカリ針のようなハリスのついた釣り針をハリスを痛めずに多数本収納することができ、魚釣りに携行したときにも安全で使いやすい新規の釣り針収納具や、つまみ糸のついたに鼻環と逆さ針あるいは鼻環と逆さ針と背針を多数本収納することができる新規の釣り針収納具に関する。
【０００２】
なお、本発明の釣り針収納具の以下の説明は、原則としてイカリ針とそれに取り付けられているハリスの収納に当てはめることができるものであり、つまみ糸のついた鼻環と逆さ針の収納、あるいは、つまみ糸のついた鼻環と逆さ針と背針の収納にも当てはまるものをも含んでいる。これらのいずれがつまみ糸のついた鼻環と逆さ針の収納、あるいは、つまみ糸のついた鼻環と逆さ針と背針の収納にも当てはまるものであるかは、ハリス付きイカリ針自体、つまみ糸のついた鼻環と逆さ針自体、あるいは、つまみ糸のついた鼻環と逆さ針と背針自体がそれぞれ衆知のものであるので当業者にとっては自明のことである。この理由により、以下の実施の形態の説明は、原則としてイカリ針とそれに取り付けられているハリスの収納を中心に説明することにする。
【０００３】
【従来の技術】
鮎釣りのような魚釣りは、ハリスのついたイカリ針のような釣り針を多数携行して釣りを行うのが通例である。
【０００４】
ハリスのついたイカリ針のような釣り針をハリスとともに収納する従来の釣り針収納具は、長方形の箱型のものが典型的である。１つの典型的な例として、直方体のスポンジで、幅方向中央部に長さ方向に形成した釣り針を差し込んで保持する溝のあるスポンジに釣り針を２〜３本差し込んで保持し、ハリスをそのスポンジの周囲に巻きつけたり、丸めたりして、その全体を箱に入れて収納するするものが用いられている。他の１つの典型的な例として、箱の内部に磁石を配置しておき、そこに釣り針を吸着して保持し、ハリスを丸めて針とともに同じ箱の中に収納するものが用いられている。
【０００５】
図４５は、従来の典型的なハリス付き釣り針の収納具の例を説明するための斜視図である。
【０００６】
図４５において、符号１は釣り針収納具、２は釣り針収納具１を構成するケース、３はケース２の蓋、４はケース２と蓋３を繋ぐための蝶番、５はケース２に入れられたスポンジで釣り針を収納するための溝８を有している。符号６，６ａ，６ｂはスポンジ５の溝８に差し込んで収納されている釣り針の例としての３本イカリ針、７は釣り針６についているハリス、７ａは釣り針６ａについているハリス、７ｂは釣り針６ｂについているハリスで、ハリス７は正常な状態を維持しているが、ハリス７ｂは曲がった状態に癖がついてしまっており、ハリス７ａは先端に近い部分に段がついている。
【０００７】
図４５で、スポンジ５は直方体で、スポンジ５の幅方向の中央部には幅の狭い直線状の溝８がスポンジ５の長さ方向全体に設けられており、釣り針６，６ａ，６ｂの針軸を溝８に差し込むと、溝８は、釣り針で拡げられために収縮しようとする復元力によって釣り針６，６ａ，６ｂの針軸を挟み込んで釣り針を保持している。また、蓋３はケース２よりも少し大きく、ケース２の上からかぶせられるように構成されており、蝶番４によって開閉可能に構成されている。
【０００８】
図４５に示したような従来の釣り針収納具にハリスのついた釣り針を収納する場合は、溝８に釣り針６，６ａ，６ｂを互いに当たらないように並べて収納し、各ハリス７，７ａ，７ｂをケース２内に入るようにスポンジ５の上に適宜曲げて配置するか、スポンジ５毎ケース２から一旦出してスポンジ５の周囲にハリスを巻きつけて、ケース２に再び入れて、蓋３を閉じてハリス付き釣り針を収納していた。
【０００９】
図４５を用いて説明したような釣り針収納具にハリスのついた釣り針を収納した場合、釣り針同士を直線状に並べて収納するため、非常に少ない個数の釣り針しか収納することが出来なかった。また、釣り針についたハリスはそのままスポンジ上に乗せるかスポンジに巻きつけてケースにいれることになるが、ハリスはバネ性が強いため、従来のケースに収納するにはハリスをかなり強引に押さえ込んで収納することになる。釣り針を複数個収納すると、収納した釣り針の位置によってはハリスを釣り針収納具内で強引に曲げた状態で長時間収納しなければならず、ハリス７ｂのように小さな曲率半径に湾曲して、くせがついてしまったり、また、蓋３を閉じるときにハリスを挟んでしまうことが多く、ハリス７ａのように段状の癖がついてしまうことが多々あった。そして、このような状況は釣り針を少数収納する場合にも生じることが多かった。
【００１０】
鮎の友釣りなどにおいては、上述のように極端に曲がってしまったり、段状のくせがついてしまったハリスのついたは釣り針は、釣果に大きな悪影響を及ぼすため、実際には使用できないものということになる。
【００１１】
このため、従来は、釣り針を釣り針収納具に少数しか収納できない上に、少数しか収納しなかった場合でも、ハリスが傷ついたりしてしまい、多くの釣り針を廃棄しなくてはならなかった。
【００１２】
さらに、スポンジ５に設けられた溝８は非常に細いため、溝の位置をすぐに探すことは難しく、釣り針を収納するのにいらいらするほど時間がかかっていた。また、スポンジに釣り針を収納した場合は、根本部分以外の針の部分がスポンジに刺さってしまい、取り出すのに手間がかかり、時間を必要とするうえ、手を針によって傷つけることも多々あった。
【００１３】
このため、ハリスのついた釣り針をハリスを傷めずに多数収納することが出来るとともに、簡単に出し入れが可能な釣り針収納具の実現が強く望まれていた。
【００１４】
図４６は従来の釣り針収納具の典型的な他の例を説明するための斜視図である。
【００１５】
図４６において、符号１１は釣り針収納具、１２は釣り針収納具１１を構成するケース、１３は釣り針収納具１１を構成するケース１２の蓋、１４はケース１２と蓋１３を繋ぐ蝶番、１５は釣り針を固定するのに用いる磁石、１６は釣り針収納具１１に収納された釣り針、１７は釣り針１６についているハリスである。
【００１６】
図４６で、ケース１２と蓋１３は蝶番１４によって開閉可能に繋がれている。磁石１５は、山状に立てられた台の面に貼り付けられた状態で配置されている。また、釣り針１６は、２つの磁石の境目になっている台の頂点部付近に根本を当てる形で、１本ずつ分けて磁石に吸引して収納されており、ハリス１７はケースの中に収まるように放置したり曲げたりして収納し、蓋１３を閉めて収納していた。
【００１７】
図４６のような釣り針収納具にハリスのついた釣り針を収納した場合、釣り針は磁石によって吸着されてある程度固定されているだけなので、収納中にケースが衝撃を受けたりすると、釣り針が動いてしまうことがあり、釣り針同士が絡まってしまい、取り出すときに手間がかかるのみならず、手を針によって傷つけることも多かった。ハリスは固定されていないので、ハリス同士やハリスと釣り針が絡まったりして、結果としてくせがついたり、極端に曲がったりして傷ついてしまい、釣り針として使用できなくなってしまうことが多々あった。また、このハリスが互いに絡まることによって、釣り針を１本だけ素早く取り出そうとしてもうまく取り出せないことも多く、使いにくさが否めなかった。
【００１８】
また、図４５ではケースを用いているが、このケースを用いないスポンジだけのもののような従来の釣り針収納具の例では、釣り針を収納するとき、ハリスを収納具の端のスリットにまとめて、挟み込むものもあったが、この方法でも、釣り針を１本取り出したいときに取り出しにくく、さらに、ハリスに癖を付けることになり、やはり釣り針を良好な状態で使用することはできなかった。
【００１９】
近時、イカリ針のついたハリスを多数本平行に束ねただけのものも販売されているが、釣りに携行して使用するには釣り針を一本ずつ素早く取り出すことができず、また、取り出すときに非常に危険であるなど、多くの問題があった。
【００２０】
また、つまみ糸のついた鼻環と逆さ針、あるいは、つまみ糸のついた鼻環と逆さ針と背針の適切な収納具がなく、これらを水中糸につけた状態で従来の糸巻きに巻きつけると、絡み合ったり、糸を傷つけてしまったり、使用するときにスムーズに取り出せないなど、種々の不都合を生じることから、その収納方法に困っていた。一つの方法として、鼻環、逆さ針、背針などを外して、水中糸とは別の容器に入れたり、つまみ糸のついた鼻環と逆さ針と背針を一つずつ丁寧にくるんで携行したりしていたため、携行しにくく、また、釣りを行うに際して、無駄な時間を費やさざるを得なく、損傷せず、使いやすい収納具の実現が強く望まれていた。
【００２１】
【発明が解決しようとする課題】
以上説明したように、従来の釣り針収納具では、ハリス付き釣り針を多数収納することができないのみならず、少数でも複数の釣り針を収納すると、釣り針が収納具に引っかかったり、釣り針同士が絡み合ったり、ハリス同士あるいはハリスと釣り針が絡まったり、釣りを行うときに釣り針を交換する場合、１本づつ釣り針を素早く収納具から取り出せないという大きな問題があり、さらに、ハリスに癖がついてしまったり、ハリスが極端に湾曲してしまったりなど、釣り針を良好な状態で使用することができないという大きな問題があった。
【００２２】
また、釣り針を少数収納した場合でさえも、上述のような問題が頻繁に起こってしまっていた。
【００２３】
さらに、上記のように、携行中に釣り針の位置が動いたり、釣り針とハリスが絡まったり、釣り針同士が絡まったり、ハリス同士が絡まったり、釣り針が収納具に引っかかったりする場合が多々あり、手を傷つけてしまうことも多かった。
イカリ針は特に危険な釣り針である。衆知のように、鮎釣りなどでは、釣り中に交換用のイカリ針を急いで取り出したい場合がある。しかし、前記のような事情のため、従来の収納具を用いていると、手にけがをすることが多く、安全上大きな問題があった。
【００２４】
このため、ある程度多くの釣り針を、釣り針同士やハリスが絡まったり、容器に釣り針が引っかかったりすることなく、安全かつコンパクトに収納することができ、釣りに携行して使用する時に釣り針を素早く取り出せることができ、ハリスを絡ませたり、使用するのに不都合なハリスの変形を生じさせたりして傷めないように収納することができる釣り針収納具の実現が強く望まれていた。
【００２５】
本発明は、このような点に鑑みて成されたものであり、本発明の目的は、上記の問題を解決して、多数の釣り針を、ハリスを傷つけることなく、釣り針を容易にかつ素早く安全に取り出せる状態で、かつ、コンパクトに収納することができる釣り針収納具を提供することにある。
【００２６】
そして、本発明の他の目的は、ハリス付きイカリ針の収納のみならず、つまみ糸のついた鼻環と逆さ針、あるいは、つまみ糸のついた鼻環と逆さ針と背針の収納にも使用することができ、つまみ糸のついた鼻環と逆さ針、あるいは、つまみ糸のついた鼻環と逆さ針と背針を損傷することなく、釣り針を容易にかつ素早く安全に取り出せる状態で、かつ、コンパクトに収納することができる釣り針収納具を提供することにある。
【００２７】
【課題を解決するための手段】
本発明の目的の達成を図るため、本発明の釣り針収納具は、魚釣り用の釣り針を収納することができる釣り針収納具であり、鮎釣り用のようなハリス付きイカリ針の収納においては特に顕著な効果を奏する釣り針収納具であり、本発明の釣り針収納具の特に大きな特徴の１つは、請求項１に記載されている本発明の釣り針収納具の特徴によく表されているように、本発明の釣り針収納具が、ハリスのついた釣り針を複数収納することができる釣り針収納具本体を少なくとも１つ有しており、前記釣り針収納具本体は、ハリスのついた釣り針を複数保持することができる釣り針保持部を有する釣り針収納部を少なくとも一つと、前記釣り針収納部に収納された釣り針に接続されているハリスを収納することができる空間部を有するハリス収納部を少なくとも１つと、切り込み部と定義する前記ハリスを挿入することができる切欠部あるいはスリットを少なくとも一つ有する仕切部を少なくとも一つ有しており、前記仕切部は前記釣り針収納部と前記ハリス収納部の間に配置されており、前記ハリス収納部は、それが形成されている前記釣り針収納具本体の中心のまわりを一周する環状になっているとともに、ハリスを入れることができるような全周にわたって形成されている開口部を有する中空状態になっており、さらに、前記ハリス収納部の開口部の近傍と前記仕切部の少なくとも一方には弾性体の突起（以下、単に突起ともいう）が設けられており、前記突起は突起の根本の断面の径方向の最大寸法よりも突起の長さの方が長い棒状突起と定義する突起であり、さらに、少なくとも１つの前記釣り針収納部と少なくとも１つの前記ハリス収納部と少なくとも１つの前記仕切部の３種類のうちのいずれか１種類あるいはいずれか２種類あるいは３種類が、前記釣り針収納具本体の厚み方向に直交する方向から見た端部（以下、外側部ともいう）または外側部に設けられた凹部（以下、外側部凹部ともいう）と、前記釣り針収納具本体の厚み方向から見た端部（以下、小口側ともいう）のいずれかあるいは全てに配置されていることである。
【００２８】
なお、請求項１に記載の前記ハリス収納部は、それが形成されている前記釣り針収納具本体の中心のまわりを一周する環状になっていることを特徴の一つとしているが、小型化した釣り針収納具の場合にこの特徴が大きな意味を有するが、本発明の技術思想はこれに狭く限定されるものでないことは以下の説明からも明らかである。すなわち、本発明は、記載の前記ハリス収納部として、それが形成されている前記釣り針収納具本体の中心のまわりを一周していないものにおいても、前記及び後述の特徴の多くが適用でき，それぞれ大きな効果をもたらすするものである。
【００２９】
しかしながら、本発明は、前記特徴の他に、その技術思想の応用展開によって、多くの特徴を有する形態をとることができる。本発明のそれら多くの形態とその特徴は、釣り針収納具に要求される各種の要望を満たすための工夫によって、互いに多少異なる形態と特徴を有し得るものである。以下、それらの特徴について簡単に説明する。
【００３０】
請求項２に記載の本発明の釣り針収納具は、請求項１に記載の釣り針収納具において、前記釣り針がイカリ針であることを特徴としている。
【００３１】
請求項３に記載の本発明の釣り針収納具は、請求項１に記載の釣り針収納具において、前記釣り針が鼻環と逆さ針であることを特徴としている。
【００３２】
請求項４に記載の本発明の釣り針収納具は、請求項１に記載の釣り針収納具において、前記釣り針が鼻環と逆さ針と背針であることを特徴としている。
【００３３】
以下に記載の本発明の特徴は、釣り針が、たとえば鮎釣り用の、ハリスのついたイカリ針の場合に特に顕著な効果をもたらすことができる。そして、いくつかの特徴を有する本発明の釣り針収納具は、仕切部の切り込みと鼻環、逆さ針、背針などの配置の間隔と大きさを考慮した針等の保持部を本発明の技術思想に基づいて形成することによって、つまみ糸のついた鼻環、逆さ針、背針等の収納においても大きな効果をもたらすものである。
【００３４】
請求項５に記載の本発明の釣り針収納具は、請求項１〜４のいずれか１項に記載の釣り針収納具において、少なくとも１つの前記釣り針収納具本体における前記突起が、その根本の断面の平均寸法よりも長さの方が１．５倍以上長い突起であることを特徴としている。
【００３５】
このような突起を設けることにより、例えば鮎の友釣り用のイカリ針とそこについているハリスを本発明の釣り針収納具に収納する場合、前記突起の強い抵抗を受けることなく、ハリスをハリス収納部にあまり力を入れずに簡単に入れることができ、また、ハリス収納具に入ったハリスは、ハリスの強い復元力によって元のまっすぐな形に戻ろうとするが、収納したハリスが広がろうとする方向にハリスの入口としての開口部があるハリス収納部の場合、前記開口部の近傍にある細い棒状の前記突起の作用で、広がろうとするハリスを軽く抑制し、ハリス収納部からハリスが解け出てしまうのを防ぐことができる。
【００３６】
請求項６に記載の本発明の釣り針収納具は、請求項１〜５のいずれか１項に記載の釣り針収納具において、前記釣り針収納部の釣り針保持部が、そこに収納する釣り針の針軸と針先の少なくとも一方を挿入して保持することが出来る溝やスリットや穴などのような釣り針差し込み部（以下、釣り針収納溝ともいう）を有していることを特徴としている。
【００３７】
請求項７に記載の本発明の釣り針収納具は、請求項１〜６のいずれか１項に記載の釣り針収納具において、前記釣り針収納部の釣り針保持部に磁石が取り付けられていることを特徴としている。
【００３８】
請求項８に記載の本発明の釣り針収納具は、請求項１〜７のいずれか１項に記載の釣り針収納具において、前記切り込み部の形状が、前記仕切部の外周にある切り込み部の開口部よりも前記切り込み部の底部の近傍が狭い形状に形成されていることを特徴としている。
【００３９】
請求項９に記載の本発明の釣り針収納具は、請求項１〜８のいずれか１項に記載の釣り針収納具において、前記仕切部が、前記切り込み部を少なくとも一つ有する板状もしくは壁状構造物（以下、側壁ともいう）であることを特徴としている。
【００４０】
本発明の釣り針収納具の例は、前記切り込み部の形状が、前記側壁の外周にある開口部よりも前記側壁の外周よりも内側にある底部の近傍が狭い形状であることを特徴としている。
【００４１】
請求項１０に記載の本発明の釣り針収納具は、請求項９に記載の釣り針収納具において、少なくとも１つの前記側壁が、前記ハリス収納部の中心のまわりに一周している形状であることを特徴としている。
【００４２】
請求項１１に記載の本発明の釣り針収納具は、請求項１〜１０のいずれか１項に記載の釣り針収納具において、前記仕切部の少なくとも一部が前記ハリス収納部の開口部に続いて形成されている内壁（以下、内側壁ともいう）を構成していることを特徴としている。
【００４３】
請求項１２に記載の本発明の釣り針収納具は、請求項１〜１１のいずれか１項に記載の釣り針収納具において、少なくとも１つの前記釣り針収納具本体は、その外形形状が、その厚みＤ１が４〜２８ｍｍで、当該釣り針収納具本体の厚み方向に直交する平面への当該釣り針収納具本体の投影の径方向最小寸法が厚みＤ１よりも大きい寸法である扁平形状と定義する形状であることを特徴としている。
【００４４】
本発明の釣り針収納具は、釣り針収納具本体の厚みをこのように薄くすることができるため、その使い方のバリエーションは広いものがある。たとえば、これに狭く限定されないが、釣り針収納具本体の一部に貫通孔を設けて、その貫通孔に棒状の物体を刺して、複数の釣り針収納具本体を重ねることができる。このようにすることができる釣り針収納具本体は種々の用い方を可能にするものである。
【００４５】
請求項１３に記載の本発明の釣り針収納具は、請求項１２に記載の釣り針収納具において、少なくとも１つの前記釣り針収納具本体は、当該釣り針収納具本体の厚み方向に直交する平面への当該釣り針収納具本体の投影の径方向最大寸法が５０〜８０ｍｍであることを特徴としている。
【００４６】
すなわち、本発明の釣り針収納具の釣り針収納具本体は、薄くできるのみならず、径方向寸法も小さくすることができるため、設計の自由度が高く、釣りに携行しやすく、ユーザーの使い勝手のよい釣り針収納具をつくることができる。
【００４７】
請求項１４に記載の本発明の釣り針収納具は、請求項１〜１３のいずれか１項に記載の釣り針収納具において、少なくとも１つの前記釣り針収納具本体は、前記外側部または外側部凹部と前記小口側の境界部分に前記仕切部を有することを特徴としている。
【００４８】
請求項１５に記載の本発明の釣り針収納具は、請求項１〜１４のいずれか１項に記載の釣り針収納具において、少なくとも１つの前記釣り針収納具本体は、前記小口側に前記ハリス収納部を少なくとも一つと、前記釣り針収納部を少なくとも一つと、前記ハリス収納部と前記釣り針収納部の間にある前記仕切部を少なくとも一つ有しており、前記小口側にある前記ハリス収納部は前記小口側にある前記釣り針収納部よりも前記小口側の外周側にあることを特徴としている。
【００４９】
請求項１６に記載の本発明の釣り針収納具は、請求項１〜１５のいずれか１項にに記載の釣り針収納具において、複数の前記切り込み部が、切り込み部中心線と定義する当該切り込み部の開口部の中心と当該切り込み部の底部の中心を結んだ直線が、前記仕切部の外周にある当該切り込み部の開口部の中心と前記仕切部の中心とを結んだ直線である径方向直線と所定の角度θ１をなして前記径方向線分に対して傾けて形成されており、前記所定の角度θ１の大きさが１５°〜４５°の範囲のいずれかの値であることを特徴としている。この角度の効果により、ハリスを極端に曲げることなくハリス収納部に巻きつけることができる。
【００５０】
請求項１７に記載の本発明の釣り針収納具は、請求項１〜１６のいずれか１項に記載の釣り針収納具において、前記釣り針収納部に、釣り針を挟み込んで保持する釣り針収納溝が、前記外側部または外側部凹部内の外周部表面近傍に、前記外周部を少なくとも１周するような線状の連続した溝として形成されていることを特徴としている。
【００５１】
請求項１８に記載の本発明の釣り針収納具は、請求項１〜１７のいずれか１項に記載の釣り針収納具において、前記釣り針収納部に、前記釣り針収納溝が、前記外側部または外側部凹部内の外周部表面近傍に、前記外周部の周方向に沿って、前記周方向と所定の角度をなし、その長さが２〜２０ｍｍの比較的短い不連続の釣り針収納溝として複数個形成されていることを特徴としている。
【００５２】
請求項１９に記載の本発明の釣り針収納具は、請求項１８に記載の釣り針収納具において、全ての前記不連続の釣り針収納溝が、前記外側部または外側部凹部内の前記外周部の前記周方向と４５度未満の同じ角度をなして配置されていることを特徴としている。
【００５３】
請求項２０に記載の本発明の釣り針収納具は、請求項１８に記載の釣り針収納具において、少なくとも一対の隣り合った２つの前記不連続の釣り針収納溝の一方の釣り針収納溝が、前記周方向となす前記所定の角度が前記周方向から釣り針収納溝の方向へ時計回りに測った角度である釣り針収納溝であり、他方の釣り針収納溝が前記周方向となす前記所定の角度が前記周方向から釣り針収納溝の方向へ反時計回りに測った角度である釣り針収納溝であることを特徴としている。
【００５４】
請求項２１に記載の本発明の釣り針収納具は、請求項１〜２０のいずれか１項に記載の釣り針収納具において、前記釣り針収納部としての釣り針収納溝が、前記小口側に、前記小口側の中心のまわりに、前記小口側の外周部の周方向に沿って、前記周方向と所定の角度をなし、その長さが２〜２０ｍｍの比較的短い不連続の釣り針収納溝として複数個形成されていることを特徴としている。
【００５５】
請求項１８と請求項２１に記載の本発明の釣り針収納具の特徴は、そこにはいる範囲の針についてであることは当然であるが、そこに収納する釣り針の大小に関わらず、針の向きをそろえて収納することができ、使い勝手を高めるものである。
【００５６】
請求項２２に記載の本発明の釣り針収納具は、請求項６〜２１のいずれか１項に記載の釣り針収納具において、少なくとも一つの前記釣り針収納溝の深さ方向に切った断面形状が、クサビ型、Ｓ字型、Ｔ字型、波形、凹凸形状のいずれかあるいはそれらの組み合わせ形状を有する形状であることを特徴としている。これにより、収納する針を確実に保持することができる。
【００５７】
請求項２３に記載の本発明の釣り針収納具は、請求項６〜２２のいずれか１項に記載の釣り針収納具において、前記釣り針収納溝の深さ方向に切った断面の入口部分に面取り加工が施されていることを特徴としている。この構造は、釣り針を入れやすくするものである。
【００５８】
請求項２４に記載の本発明の釣り針収納具は、請求項１〜２３のいずれか１項に記載の釣り針収納具において、前記ハリス収納部に設けられている前記突起は、前記ハリス収納部を構成する対向する一対の内側壁のうちの一方の内側壁の外周部近傍に、前記一方の内側壁から他方の内側壁の方向へ向けて突出して設けられており、他方の内側壁には設けられておらず、前記一方の内側壁の外周部近傍に設けられている前記突起の長さは、当該一対の内側壁の前記突起の設けられている位置での間隔の２分の１よりも長く、当該一対の内側壁の間隔よりも短いことを特徴としている。このような突起を用いることによって、前記ハリス収納部へのハリスの出し入れをスムーズに行うことができる。
【００５９】
請求項２５に記載の本発明の釣り針収納具は、請求項１〜２３のいずれか１項に記載の釣り針収納具において、前記ハリス収納部に設けられている前記突起は、前記ハリス収納部を構成する対向する一対の内側壁の双方の内側壁に、一方の内側壁から他方の内側壁の方向へ向けて突出して設けられており、前記対向する一対の内側壁の一方の内側壁に設けられている突起の長さとその直近の他方の内側壁に設けられている突起の長さの合計は、当該一対の内側壁の前記突起の設けられている位置での間隔の２分の１よりも長く、当該一対の内側壁の間隔よりも短いことを特徴としている。
【００６０】
請求項２６に記載の本発明の釣り針収納具は、請求項２５に記載の釣り針収納具において、前記一方の内側壁に設けられている突起と前記他方の内側壁に設けられている突起が、前記一方の内側壁と前記他方の内側壁が互いに対向して配置されている部分の少なくとも一部の範囲において、前記ハリス収納部の周方向において交互に配置されていることを特徴としている。
【００６１】
請求項２７に記載の本発明の釣り針収納具は、請求項１〜２６のいずれか１項に記載の釣り針収納具において、前記釣り針収納具本体の前記外側部または外側部凹部に、前記釣り針収納溝を挟んで少なくとも一対のハリス収納部が設けられていることを特徴としている。
【００６２】
請求項２８に記載の本発明の釣り針収納具は、請求項６〜２７のいずれか１項に記載の釣り針収納具において、前記外側部凹部に前記釣り針収納部の前記釣り針収納溝と前記ハリス収納部が設けられており、前記釣り針収納溝の入口部分よりも前記ハリス収納部の入口部分の位置が、前記外側部凹部の入口に近い状態に配置されており、前記釣り針収納溝と前記ハリス収納部の間に前記側壁が設けられていることを特徴としている。
【００６３】
請求項２９に記載の本発明の釣り針収納具は、請求項９〜２８のいずれか１項に記載の釣り針収納具において、前記釣り針収納具本体の前記外側部または外側部凹部に形成されている前記釣り針収納溝と各ハリス収納部との間に、それぞれ少なくとも一つの前記側壁が形成されており、前記側壁は、それに対向している各ハリス収納部の内側壁よりも前記外側部の外方に突き出して設けられていることを特徴としている。
【００６４】
請求項３０に記載の本発明の釣り針収納具は、請求項９〜２９のいずれか１項に記載の釣り針収納具において、前記釣り針収納具本体の前記小口側に、前記釣り針収納部の前記釣り針収納溝と前記ハリス収納部が形成されており、前記小口側に形成されている前記釣り針収納溝と各ハリス収納部との間に少なくとも一つの側壁が掲載されており、少なくとも一つの前記側壁は、それに対向している前記ハリス収納部の内側壁よりも前記小口部の外方に突き出して設けられていることを特徴としている。
【００６５】
請求項３１に記載の本発明の釣り針収納具は、請求項６〜３０のいずれか１項に記載の釣り針収納具において、少なくとも１つの前記釣り針収納溝が小口側に形成されているとともに少なくとも１つの前記ハリス収納部が前記外側部または外側部凹部に形成されており、前記外側部または外側部凹部に形成されているハリス収納部の一部分または全部分が、前記小口側に形成されている釣り針収納溝の溝の入口の位置よりも前記外側部の径方向に関して外側に位置するように配置されていることを特徴としている。
【００６６】
請求項３２に記載の本発明の釣り針収納具は、請求項９〜３１のいずれか１項に記載の釣り針収納具において、前記小口側に形成されている釣り針収納溝と前記外側部または外側部凹部に形成されているハリス収納部の間に前記側壁が配置されており、前記側壁が当該釣り針収納具本体の厚み方向に突き出して形成されていることを特徴としている。
【００６７】
請求項３３に記載の本発明の釣り針収納具は、請求項９〜３２のいずれか１項に記載の釣り針収納具において、前記小口側に形成されている釣り針収納溝と前記外側部または外側部凹部に形成されているハリス収納部の間に前記側壁が配置されており、前記側壁が当該釣り針収納具本体の外側部方向に突き出して形成されていることを特徴としている。
【００６８】
請求項３１〜３３に記載の本発明の釣り針収納具は、たとえば鮎つりのときに、特に危険なイカリ針を指を傷つけずに素早く安全に取り扱うことを可能にするものである。
【００６９】
請求項３４に記載の本発明の釣り針収納具は、請求項９〜３３のいずれか１項に記載の釣り針収納具において、少なくとも１つの前記釣り針収納具本体の両側の小口側に前記釣り針収納溝が形成されていることを特徴としている。
【００７０】
請求項３５に記載の本発明の釣り針収納具は、請求項１〜３４のいずれか１項に記載の釣り針収納具において、少なくとも１つの前記釣り針収納具本体が、その小口側の中央部近傍に、凹部または前記釣り針収納具本体の小口側の一方の表面から他方の表面まで貫通している貫通孔を有することを特徴としている。この凹部または貫通孔は、釣り針収納具本体の取扱において、あるいは釣り針収納具本体をこの凹部または貫通孔に係合する中空の突起を有するケースに取り付けた場合に、当該凹部または貫通孔あるいは突起の中空部に指を入れて、他の指とともに釣り針収納具本体あるいはケースを挟んで取り扱うことを可能にする。特に薄型の釣り針収納具の場合にも、この特徴は、安全に素早く釣り針を出し入れすることを可能にするもので、使い勝手の向上に極めて大きな効果をもたらすものである。
【００７１】
請求項３６に記載の本発明の釣り針収納具は、請求項１〜３５のいずれか１項に記載の釣り針収納具において、前記ハリス収納部の中心線の該釣り針収納具本体の厚み方向への投影形状が、円形、楕円形、四角形以上の多角形のいずれかの形状あるいはそれらを組み合わせて形成した形状であることを特徴としている。この形状は、そこに収納するハリスに癖を付けずに、素早い出し入れを可能にする。
【００７２】
請求項３７に記載の本発明の釣り針収納具は、請求項１〜３６のいずれか１項に記載の釣り針収納具において、前記釣り針収納具が、少なくとも１つの前記釣り針収納具本体を収納することができるケースを有することを特徴としている。特にイカリ針においては安全性の観点から重要なことである。
【００７３】
請求項３８に記載の本発明の釣り針収納具は、請求項３７に記載の釣り針収納具において、前記ケースは、前記ケースに前記釣り針収納具本体を一方の小口側を上にして入れた状態で下方に位置する下部ケースと上方に位置する上部ケースとを有しており、前記下部ケースと上部ケースの少なくとも一方が開閉自在に構成されていることを特徴としている。
【００７４】
請求項３９に記載の本発明の釣り針収納具は、請求項３７または３８に記載の釣り針収納具において、前記釣り針収納具本体が前記下部ケースに収納された状態で、少なくとも１つの前記釣り針収納溝と少なくとも１つの前記ハリス収納部のハリスを収納する入口の双方が、前記下部ケースの縁の一部よりも上方に位置していることを特徴としている。これは、前記釣り針収納具本体をケースに取り付けた状態でのハリス付き釣り針の出し入れを容易にするものである。
【００７５】
請求項４０に記載の本発明の釣り針収納具は、請求項３７〜３９のいずれか１項に記載の釣り針収納具において、前記上部ケースと下部ケースの少なくとも一方に、前記釣り針収納具本体の中央部近傍に形成されている前記凹部または前記貫通孔に挿入することが出来る形状と寸法の突出部が形成されていることを特徴としている。
【００７６】
請求項４１に記載の本発明の釣り針収納具は、請求項３７に記載の釣り針収納具において、前記ケースに前記釣り針収納具本体を、その一方の小口側を上にして入れた状態で、前記ケースの開閉部を手前にして右側に位置する右ケースと左側に位置する左ケースとを有しており、前記右ケースと左ケースが開閉自在に構成されていることを特徴としている。
【００７７】
請求項４２に記載の本発明の釣り針収納具は、請求項３７〜４１のいずれか１項に記載の釣り針収納具において、前記ケースに開閉可能な窓が少なくとも１つ設けられていることを特徴としている。
【００７８】
請求項４３に記載の本発明の釣り針収納具は、請求項１〜４２のいずれか１項に記載の釣り針収納具において、前記釣り針収納具本体とそれを収納するケースの少なくとも一方が合成ゴムで形成されていることを特徴としている。
【００７９】
請求項４４に記載の本発明の釣り針収納具は、請求項４３に記載の釣り針収納具において、前記釣り針収納具本体とそれを収納するケースの少なくとも一方を形成している合成ゴムとしてシリコーンゴム、ＮＢＲ、ウレタンゴムのいずれかが用いられていることを特徴としている。
【００８０】
このような釣り針収納具は、型成形を利用することができ、製造しやすく、使いやすい釣り針収納具を安いコストで提供することができるのみならず、使用者にとっては、針先を差し込む溝を容易に作ることができ、クリップや磁石による針部の固定手段に頼らなくても収納してある釣り針の耐衝撃性を高めることができ、また、針先をゴムに刺して止めることが出るという使い勝手の向上という利点をもたらすこともできるなど、多くの利点をもたらすものである。そして、合成ゴムとしてシリコーンゴム、ＮＢＲ、ウレタンゴムを用いれば、他の分野で蓄積された加工上の多くのデータをも用いることができる。
【００８１】
請求項４５に記載の本発明の釣り針収納具は、請求項１〜４２のいずれか１項に記載の釣り針収納具において、前記釣り針収納具本体とそれを収納するケースの少なくとも一方の少なくとも一部が紙で形成されていることを特徴としている。
【００８２】
請求項４６に記載の本発明の釣り針収納具は、請求項４５に記載の釣り針収納具において、前記釣り針収納具本体とそれを収納するケースの少なくとも一方の少なくとも一部を形成している紙に切り込みが形成されていることを特徴としている。
【００８３】
紙で形成されていることにより、不要になったときの処理がし易く、環境保護の点からも好ましいものになる。
【００８４】
請求項４７に記載の本発明の釣り針収納具は、請求項１〜４６のいずれか１項に記載の釣り針収納具において、前記釣り針収納具本体がそれを収納したケースの中で回転可能になっていることを特徴としている。
【００８５】
請求項４８に記載の本発明の釣り針収納具は、請求項１〜４７のいずれか１項に記載の釣り針収納具において、前記釣り針保持部が前記釣り針収納具本体もしくはケースに回転可能に装着されていることを特徴としている。
【００８６】
前記請求項４７と請求項４８に記載の特徴は、釣り針収納具に収納してある釣り針を、たとえば、いつもケースの同じ位置から取り出すことができ、また、釣り針を収納する場合もいつもケースの同じ位置から収納することを可能とするものである。
【００８７】
本発明のハリス収納部は、前記のように環状に形成されている。この環状のハリス収納部の形状の例として、断面が四角形の中空形状のパイプを円環状に曲げた形状のものや、たとえば十二角形などの多角形状に曲げた形にしたものをあげることができる。そして、環状のハリス収納部の、たとえば、内側あるいは外側に、ハリスを入れる入口としての開口部が設けられている。前記釣り針収納溝に、ハリス収納部の周方向に沿って所定間隔毎にハリスのついたイカリ針をさして収納し、イカリ針についているハリスを次々にハリス収納部に入れて、複数本のハリスをいわばエンドレスに、すなわち、周回状にハリス収納部に収納することができる。ハリス収納部の内周及び外周の寸法は、長時間ハリスを収納しておいても、ハリスに曲がりや折り曲げなどの癖がつかないような曲線を描いてハリスを入れておくことができ、しかもできるだけ小型になるように、円環状や多角形の環状に形成されている。このような観点から本発明のハリス収納部の外形は、８０ｍｍよりも小さな寸法にすることができる。
【００８８】
本発明の釣り針収納具の例は、前記釣り針収納溝の設けられているところの周囲の少なくとも一部に、前記釣り針収納溝の設けられている面よりも前記溝の外側方向に突き出ているドテと定義する凸部が設けられていることを特徴としている。このドテの効果により、前記釣り針収納溝に収納されている釣り針が落下しにくくすることができる。
【００８９】
本発明の釣り針収納具の例は、前記上部ケースと下部ケースが一体成形で形成されていることを特徴としている。
【００９０】
本発明の釣り針収納具の例は、前記下部ケースと上部ケースの開閉が、前記上部ケースを下部ケースの上方へ引き上げる方法で行われることを特徴としている。
【００９１】
本発明の釣り針収納具の例は、前記ケースは、前記ケースに前記釣り針収納具本体を一方の小口側を上にして入れた状態で下方に位置する下部ケースと、上方に位置する上部ケースと、前記下部ケースと前記上部ケースの間に位置する中間ケースとを有しており、前記下部ケースと上部ケースの少なくとも一方が開閉自在に構成されていることを特徴としている。
【００９２】
本発明の釣り針収納具の例は、前記上部ケースと中間ケースあるいは下部ケースと中間ケースの少なくとも一方が接続部で接続されており、前記上部ケースあるいは下部ケースの開閉を、当該両ケースの前記接続部と反対側において前記上部ケースあるいは下部ケースを上あるいは下に開く方法で行われることを特徴としている。
【００９３】
本発明の釣り針収納具の例は、前記上部ケースと中間ケース、あるいは下部ケースと中間ケース、あるいは上部ケースと中間ケースと下部ケースが一体成形で形成されていることを特徴としている。
【００９４】
本発明の釣り針収納具の例は、前記下部ケースあるいは上部ケースの開閉が、前記上部ケースを中間ケースの上方へ引き上げる方法あるいは下部ケースを上側にして下部ケースを中間ケースの上方へ引き上げる方法で行われることを特徴としている。
【００９５】
本発明の釣り針収納具の例は、前記釣り針収納具本体が前記ケースに収納された状態で、少なくとも１つの前記釣り針収納溝と少なくとも１つの前記ハリス収納部のハリスを収納する入口が、前記中間ケースの外部に出ている状態になることを特徴としている。
【００９６】
本発明の釣り針収納具の例は、前記上部ケースと下部ケースの少なくとも一方に、前記釣り針収納具本体の中央部近傍に一方の表面から他方の表面に突き抜けるように形成されている前記空洞の内側に入る形状と寸法の突出部が形成されていることを特徴としている。
【００９７】
本発明の釣り針収納具の例は、前記右ケースと左ケースが一体成形で形成されていることを特徴としている。
【００９８】
そして、本発明の釣り針収納具の例は、前記各特徴の少なくとも１つを有しているとともに、前記各特徴を、構成の上で矛盾しない範囲において、適宜組み合わせて有する例もある。この各種特徴を組み合わせて有する本発明の釣り針収納具の例は、後述の如く大きな効果を発揮することができる。すなわち、本発明の釣り針収納具の例は、各請求項に記載した如く、各種の形態をとりうるものである。
【００９９】
以上記載した各特徴を有する本発明の釣り針収納具の例は、前記のように、ハリス付きイカリ針の収納に好適なものである。しかし、本発明は、前記の仕切部の切り込みの数と形状寸法と釣り針収納部の収納凹部の数と形状寸法を、各一組の鼻環と逆さ針等に対応するように形成することにより、つまみ糸のついた鼻環と逆さ針の収納、あるいは、つまみ糸のついた鼻環と逆さ針と背針の収納に好適な釣り針収納具として、あるいは、ハリス付きイカリ針の釣り針収納具と兼ねたものとして、収納してある釣り針とつまみ糸やハリスを損傷せず、安全に収納でき、安全にそして素早く取り出すことのできる釣り針収納具として、前記の特徴を有する釣り針収納具を提供することができるものである。
【０１００】
各請求項に記載の本発明の前記各特徴は、本発明の代表的特徴であるが、後述の説明からも明らかなように、本発明の特徴はこれだけではない。それらについては、本発明の実施の形態例を説明する過程で明らかにされる。
【０１０１】
【発明の実施の形態】
以下、図面を参照して本発明の実施の形態について説明する。なお、説明に用いる各図は本発明を理解できる程度に各構成要素の寸法、形状、配置関係などを概略的に示してある。そして、本発明の説明の都合上、部分的に拡大率を変えて図示する場合もあり、本発明に用いる図は、必ずしも実施の形態などの実物や記述と相似形でない場合もある。また、各図において、同様な構成要素については同一の番号を付けて示し、重複する説明を省略することもある。
【０１０２】
以下、本発明の実施の形態について、いくつかの実施の形態例を用いて説明する。本発明においては、ハリスのついた釣り針を複数本収納することができる釣り針収納具の基本構成のことを釣り針収納具本体と呼ぶ。本発明における釣り針収納具本体は多くの特徴を有している。さらに、本発明による釣り針収納具本体は、ケースに入れたものとして構成することができる。
【０１０３】
本発明の釣り針収納具の実施の形態は、１つの釣り針収納具本体で構成される形態と、複数の釣り針収納具本体で構成される形態と、１つまたは複数の釣り針収納具本体をケースに入れた形態がある。そのいずれの形態においても、１つの釣り針収納具本体で構成される形態の特徴の多くが当てはめられるものであるので、以下の本発明の実施の形態の説明は、原則として、その多くを、１つの釣り針収納具本体で構成される形態を例にとって説明することにし、ケースを用いる形態についても、その多くをケースの部分を特筆して説明することにする。
【０１０４】
図１は本発明の釣り針収納具の実施の形態例として、釣り針収納具本体１つで釣り針収納具を構成した例を説明する図で、釣り針収納具にハリスのついたイカリ針を収納した例の斜視図である。
【０１０５】
図１で、符号５０１は本発明の釣り針収納具本体、５０２は釣り針収納部、５０３ａ，５０３ｂはハリス収納部、５０５ａ，５０５ｂは仕切部としての側壁、５０５ａ１，５０５ａ２は側壁５０５ａの面、５０５ｂ１，５０５ｂ２は側壁５０５ｂの面、５０４ａ１，５０４ａ２はハリス収納部５０３ａを構成する内側壁、５０４ｂ１，５０４ｂ２はハリス収納部５０３ｂを構成する内側壁、５０６は内側壁５０４ａ１，５０４ｂ１に形成された弾性体の突起（以下、単に突起ともいう）、５０３ａ１，５０３ｂ１はハリス収納部の開口部、５０７は釣り針収納部５０２の釣り針保持部としての釣り針収納溝、５０８ａ，５０８ｂは釣り針の例としての４本イカリ針、５０９ａ，５０９ｂはそれぞれ４本イカリ針５０８ａ，５０８ｂについているハリス、５１０ａ，５１０ｂは釣り針収納具本体５０１の外壁、５１１ａ，５１１ｂは釣り針収納具本体５０１の小口側、５１２は釣り針収納具本体５０１の外側部、５１３は釣り針収納具本体５０１の外壁５１０ａの中央部から外壁５１０ｂの中央部まで貫通して開けられた空洞部、５１４ａ１，５１４ａ２，５１４ｂ１，５１４ｂ２はそれぞれ図示の側壁５０５ａ，５０５ｂに形成された切り込み部である。
【０１０６】
図１で、釣り針収納具本体５０１は、円盤形の外壁５１０ａと５１０ｂの間に、空洞部５１３の周囲に形成されたハリス収納部５０３ａ、釣り針収納部５０２，ハリス収納部５０３ｂが外壁５１０ａの側から外壁５１０ｂの側に設けられている。
【０１０７】
ハリス収納部５０３ａは、ハリスを収納することができる開口部５０３ａ１と、開口部５０３ａ１に続いて形成されている内側壁５０４ａ１，５０４ａ２と、図示していないがハリス収納部底部（内側壁５０４ａ１と内側壁５０４ａ２に続いて両者をそれらの奥で結ぶように形成されている）を有しており、内側壁５０４ａ１の開口部５０３ａ１の近傍には内側壁５０４ａ２の方に向けて突き出して形成されている突起５０６が形成されている。ハリス収納部５０３ａの内側壁５０４ａ１と内側壁５０４ａ２は互いに対向して配置されており、内側壁５０４ａ２は側壁５０５ａの面５０５ａ１の一部と同じ壁である。すなわち、側壁５０５ａの一部が、さらに詳細には側壁５０５ａの面５０５ａ１の内側壁５０４ａ１に対向して配置されている部分が内側壁５０４ａ２を兼ねている。
【０１０８】
図１に示したように、ハリス収納部５０３ａはハリスを収納する空間部で、空洞部５１３の中心軸線を中心軸線とするリング状に形成されており、リング状の形状の長さ方向に直交する断面の形状は、図１に図示の場合は、開口部５０３ａ１，内側壁５０４ａ１，図示していないハリス収納部底部、内側壁５０４ａ２（側壁５０５ａの一部）で囲まれたとみなせる四角形になっている。
【０１０９】
側壁５０５ａ，５０５ｂは、それぞれ、釣り針収納部５０２とハリス収納部５０３ａ，５０３ｂとの間に、釣り針収納部５０２と各ハリス収納部を仕切る仕切部として設けられており、本発明の釣り針収納具に収納されるハリス付き釣り針の釣り針とハリスを仕切って収納する作用をするものであるとともに、イカリ針のような取扱上危険性のある釣り針の場合には、ハリスの取扱中に指がイカリ針に触れにくくするように、指をイカリ針から保護する役割も有している。この仕切部としての側壁があるために、ハリス付きの釣り針を、前記ならびに後述の突起の作用とともにハリスに有害な変形を与えずに収納することができるのみならず、ハリス付き釣り針の出し入れを極めてやりやすくするものである。たとえば、針先や針軸を釣り針収納部５０２の釣り針収納溝５０７に差し込んだイカリ針のハリスを、その隣に来る釣り針にハリスが引っかかりにくい位置の切り込み部を選んで、そこを経て側壁のハリス収納部側に導き、ハリスを側壁に軽く押し当てるようにしながらハリス収納部に巻きつけると、ハリスを容易にハリス収納部内に収納することができる。
【０１１０】
釣り針収納部５０２には、側壁５０５ａと側壁５０５ｂの間にある釣り針保持部としての釣り針収納溝５０７が釣り針収納部５０２の主要構成要素として形成されており、図示の例のように、複数の４本イカリ針５０８ａ，５０８ｂなど複数の釣り針の針先や針軸を釣り針収納溝５０７に差し込んで収納することができる。そして、釣り針収納溝５０７に差し込んで収納したイカリ針についているハリスは、側壁５０５ａや５０５ｂの適切な位置の切り込み部５１４ａ１，５１４ａ２，５１４ｂ１，５１４ｂ２などのいずれかに挿入して（すなわち、切り込み部を通して）ハリス収納部５０３ａまたはハリス収納部５０３ｂに導き入れ、ハリス収納部内に収納する。
【０１１１】
このとき、ハリス収納部に収納されたハリスは、ハリスの弾力性により自然に広がろうとするが、ハリス収納部の開口部に設けられた突起５０６に当たり、完全には広がることができず、おおむね円形に近い曲率の状態でハリス収納部内に収納される。
【０１１２】
しかも、このハリスの収納時に、釣り針収納溝に差し込んで収納したイカリ針の針軸の位置とそこについているハリスをハリス収納部に収納するときに通過させる側壁の切り込み部の位置を、ユーザーが、ハリスを目で見ながら、ハリスが大きく曲がらないように適切な位置関係に選んでハリスの収納を行うことができるので、ハリス収納部に収納されたハリスは、ハリス収納部の形状に応じて、ほとんど無理のない形状に自然に広がった状態で、広がろうとしながら何本かの突起に押さえられて、ハリス収納部内に収納される。このハリスの収納時の取扱は、釣りを行う人にとっては、普段の感覚に近い動作で行うことができ、極めて容易に、自然な動作として行うことができるものである。
【０１１３】
このハリス収納部内に収納されたハリスを変形させないようにと、ハリス収納部を十分に大きくしたものを製造することができるが、ハリスをたとえば多数保存しておくのには便利であるが、釣りに携行するのに大きくて実用的ではない。
【０１１４】
本発明者の検討の結果、ハリス収納部の形状・寸法を適切に選ぶことによって、釣りに携行しても不都合さのないほど小型にしても、ハリスに従来のような問題になる変形を与えずに、複数本のハリス付きイカリ針を収納して釣りに携行することができる釣り針収納具本体５０１を実現することができた。
【０１１５】
ハリス収納部の開口部に設けられた突起は、ハリスをハリス収納部に入れるときにはあまり大きな抵抗を感じさせることがないように、そして、ハリス収納部に入っているハリスが自然に広がってハリス収納部の外に出てしまうのを確実に防ぐことができるように、そして釣り針をハリスとともに取り出すときに取り出しにくくないように形成されていることが好ましい。このような好ましい条件の一つとして、突起の長さを根本近傍における径の１．５倍以上にすることをあげることができる。
【０１１６】
図１を用いた上記説明から本発明の特徴がわかるが、本発明をより明確にするために、以下においてさらなる実施の形態例を説明する。
【０１１７】
図２は本発明の釣り針収納具における釣り針収納具本体の例を説明する図で、図１の釣り針収納具本体の空洞部５１３の中心軸線を通り外壁５１０ａから外壁５１０ｂまで至る面で切った断面図であり、釣り針収納部と２つのハリス収納部を外側面凹部に設け、釣り針収納部と各ハリス収納部の間に側壁を設けた例を説明する図である。
【０１１８】
図２において、符号４０は本発明の釣り針収納具本体、４１は釣り針収納具本体４０の外側部凹部、４２および４３は釣り針収納具本体４０を構成する側壁、４４および４５はハリスを収納するためのハリス収納部、４４ａおよび４５ａはそれぞれハリス収納部４４および４５のハリス収納部底部、４６および４７はそれぞれハリス収納部４４および４５を形成している内側壁でそれぞれ釣り針収納具本体４０の外壁の内側部分、４６ａ，４７ａは内側壁４６，４７に形成されている突起、４８ｂは釣り針収納部、４８は外側部凹部４１の中央部に設けられた釣り針収納溝、４８ａは釣り針収納溝４８の入口の両側に形成されている釣り針収納部底部，４０ａは釣り針収納具本体４０の胴体、４０ｂは釣り針収納具本体４０の中心線４０ｃを中心とする円筒状部分を空洞にした空洞部、４０ｄと４０ｅは釣り針収納具本体４０の外壁、４０ｆと４０ｇは釣り針収納具本体４０の小口側である。
【０１１９】
外壁４０ｄと４０ｅは、その垂直外側から見た輪郭形状が円形で、側壁４２と４３も外壁の垂直外側から見た輪郭形状が円形である。そして、外壁４０ｄおよび４０ｅは、側壁４２および４３と共通の中心軸線を有しており、外壁４０ｄおよび４０ｅの輪郭形状の直径は側壁４２および４３の直径よりも小さく形成されている。
【０１２０】
釣り針収納部４８ｂは、側壁４２と釣り針収納部底部４８ａと側壁４３で三方を囲まれた空間であり、釣り針収納具底部４８ａの一部に形成されている釣り針収納溝４８を含んでいる。
【０１２１】
図２の釣り針収納具本体４０は、シリコーンゴムを用いて一体形成技術で形成されている。側壁４２および側壁４３には数カ所に切り込み部が形成されている。  小口側４０ｆおよび４０ｇの外径は外側部凹部４１の奥の部分の径（すなわち、ハリス収納部底部４４ａ，４５ａおよび釣り針収納部底部４８ａが形成されている位置）よりも大きく、側壁４２および４３の外径よりも小さい外径に形成されている。
【０１２２】
ハリス収納部４４は、外側部凹部４１の側壁４２と外壁４０ｄの裏側の内側壁４６の間の部分で、ハリス収納部４５は外側部凹部４１の側壁４３と外壁４０ｅの裏側の内側壁４７の間の部分である。
【０１２３】
釣り針収納溝４８は、外側部凹部の中央部に、そこに収納する釣り針の針軸よりも幅の狭い溝として形成されており、溝の深さ方向の断面形状は、後述のように、釣り針を容易にそして確実に保持することができるようにその形状と寸法が工夫されている。釣り針収納溝４８には、針先や針軸を挿入してもよいが、釣り針のどこを挿入してもよい。図２の例の場合、釣り針収納溝４８は外側部凹部４１の一周全体にわたって形成されている。
【０１２４】
図２を用いて説明したような釣り針収納具本体に針付きの釣り針を収納する場合は、釣り針収納溝４８に釣り針を差し込んで収納した後に、ハリスをたとえば指先でつまんで扱い、側壁４２または４３に設けられた切り込み部にハリスを通した後に、ハリスをハリス収納部４４または４５に巻きつけて収納する。この場合、釣り針収納部の釣り針収納溝とハリス収納部の間にある側壁の直径を、外壁４０ｄ，４０ｅの直径よりも大きくしているため、ハリス収納部にハリスを収納する場合、ハリスをつかんでいる指が側壁に保護されて針先に当たらないようにハリスを取り扱うことができ、このことがハリスを一層収納しやすくしている。そして、側壁を、イカリ針を収納した状態でイカリ針の針先の位置よりも外側に突き出る程度にその直径を大きくすることにより、従来難題であったハリス付きイカリ針を、安全に、容易に収納することができる。
【０１２５】
図２で、釣り針収納具本体４０をシリコーンゴムの一体成形で作成した例を説明したが、これとは別の例として、同じ形状の釣り針収納具本体４０を、ハリス収納部底部４４ａと４５ａの位置で全体が３つに分割された状態の部品として、シリコーンゴムや樹脂を用いた成形技術で製造し、図示のような釣り針収納具本体４０として組み立てて製造することができる。
【０１２６】
図２を用いて説明したような釣り針収納具本体にイカリ針を収納した場合、イカリ針は釣り針収納溝に保持されて、前記側壁の間に少なくともその針先部が完全に隠れるように収納されるため、安心して取扱うことがせきる。そして、ハリスはハリス収納部に比較的緩い束縛で収納されるため、ハリスにくせを付けることなく長時間の収納が可能となる。ハリスはかたく絡まったりすることも無く、釣りで使用するときにイカリ針を手でもって引き出すと、それに引っ張られたハリスも他のハリスを引き出すことなく、単独で容易に引き出される。また、側壁４２および４３の外径をそこに収納されているイカリ針を保護するように、前記のように大きく作られているため、安全に携帯することが出来る。
【０１２７】
図３は本発明の実施の形態の他の例としての釣り針収納具本体を外側部凹部の外側から見た正面図である。
【０１２８】
図３において、符号５０は本発明の釣り針収納具本体、５１は釣り針収納具本体５０の外側部凹部、５２，５３はハリス収納部５７，５８の一方の内側壁で外壁５２ａ，５３ａの一部の裏側になっている部分、５７ｂ、５８ｂはハリス収納部５７，５８の他方の内側壁、５４は内側壁５２に設けられた弾性体の突起、５５は内側壁５３に設けられた弾性体の突起、５６ａは外側部凹部５１の中央部の釣り針収納部５６に設けられた釣り針収納溝、５１ａは外側部凹部５１の底部でもある釣り針収納部底部（釣り針収納溝５６ａが釣り針収納部底部５１ａに溝の開口部をもち、そこから溝として開けられている）、５７，５８は外側部凹部５１内で釣り針収納部５６の両側に設けられたハリス収納部、５７ａ，５８ａはハリス収納部５７，５８の開口部、５７ｃ，５８ｃはそれぞれハリス収納部５７，５８のハリス収納部底部である。
【０１２９】
外壁５２ａ，５３ａは、その垂直上方（図３で外壁５２ａあるいは外壁５３ａの垂直上方）から見た輪郭形状は円形で、外径が釣り針収納部底部５１ａよりも大きい外径に形成されている。釣り針収納溝５６ａは外側部凹部５１の底部５１ａから掘り下げたように形成されており、釣り針をそこに差し込んで保持できる溝として形成されている。ハリス収納部５７，５８は、その底部５７ｃ、５８ｃを外側部凹部５１の底部５１ａの位置からさらに深い凹部として形成されており、その開口部５７ａ，５８ａの近傍に、一方の内側壁５２，５３から他方の内側壁５７ｂ、５８ｂの方向に突き出している突起５４，５５が形成されている。
【０１３０】
釣り針収納具本体５０の釣り針収納部５６は、釣り針収納具本体４０の場合のように側壁が設けられていないため明確な境界を形成していないが、ハリス収納部５７とハリス収納部５８の間の釣り針収納部底部５１ａの周辺の空間であり、釣り針収納具底部５１ａの一部に形成されている釣り針収納溝５６ａを含んでいる。
【０１３１】
釣り針収納溝５６ａは、外側部凹部５１の中央部付近に溝の長さ方向の形状が螺旋状になるように約３周分形成されている。
【０１３２】
釣り針収納溝５６ａは釣り針を収納できる程度の幅であり、ハリス収納部５７および７８はハリスに対してある程度太い幅となっている。本発明の釣り針収納具に収納する釣り針がイカリ針の場合特に大きな効果を発揮するものであるが、これに限定されるものではなく、イカリ針のように３本や４本の釣り針を束ねたものでないいわゆる単体の釣り針の場合も大きな効果を奏することは、本発明の前記および後述の説明から明らかなことである。
【０１３３】
突起５４および突起５５は内側壁５２および内側壁５３のそれぞれに少なくとも２つ以上設けられている。
【０１３４】
突起５４は内側壁５２に垂直で、かつ、内側壁５２の垂直外側方向から見た場合に突起５４の外周をそれぞれ繋いだ円が外側部凹部５１がなす円とほぼ同じか幾分小さな円となるように形成されている。また、突起５５の場合も、突起５４の場合と同様である。
【０１３５】
図３を用いて説明したような釣り針収納具本体に釣り針を収納する場合は、釣り針収納溝５６ａに釣り針の根本すなわち針軸を入れ込むように収納した後に、ハリスを突起５４または突起５５に押しつけるようにして突起５４または突起５５がなす円の内側に入れ、ハリスをハリス収納部５７または５８に巻きつけるように収納する。
【０１３６】
イカリ針の収納に用いる場合、釣り針収納部底部５１ａは少なくともイカリ針を載置できる幅寸法が必要となり、ハリス収納部の幅よりも広く形成して全体の小型化を図ることができる。
【０１３７】
図３の釣り針収納具本体では、釣り針収納溝５６ａが螺旋状に約３周設けられているため、釣り針を入れるのにいくつかの利点があり、たとえば、イカリ針の場合にはその針軸を３本の溝のいずれかを適当に使い分けることができたり、３本のいずれかに入ればよいとして適当に差し込んだりできるなど、収納時の使いやすさが増え、また、単体の釣り針の場合には、収納数を増やすことができる。
【０１３８】
図２と図３の釣り針収納具本体は、釣り針収納部とハリス収納部を外側部凹部に設けている例である。そして、図２と図３の釣り針収納具本体の細部の違いはいくつかあるが、大きな違いの一つは、図２の釣り針収納具本体では、ハリス収納部の開口部が釣り針収納部底部よりも外側部の入口から見て外側部の外方側にあり、ハリス収納部と釣り針収納部の間に側壁が設けられているが、図３の釣り針収納具本体では、ハリス収納部の開口部が、外側部の入口からみて釣り針収納部底部とほぼ同じ深さにあり、ハリス収納部の底部が釣り針収納部底部よりも深い位置に形成されていて、ハリス収納部と釣り針収納部の間に側壁が設けられていないことである。
【０１３９】
釣り針収納溝は後述のように種々の形状を取り得るものである。
【０１４０】
図４〜図６は、釣り針収納溝の形状を釣り針収納具本体の外側部凹部の外側から見た形状について説明する正面図である。
【０１４１】
図４〜図６において、符号６０，７０，８０は釣り針収納具本体、４２ａ，４２ｂ，４３ａ，４３ｂ，４６ａ，４６ｂ，４７ａ，４７ｂは突起、４８ｃ〜４８ｈは釣り針収納溝である。その他の部分については、たとえば突起がついているかいないかなどのように図２の場合と多少の違いはあっても基本的部分が同じものについて同じ符号を付けて示してある。
【０１４２】
図４の釣り針収納溝４８ｃ〜４８ｅは、釣り針収納具底部４８ａに溝の外形が螺旋が途切れた形状、すなわち螺旋の一部になるように３周分程度形成されている。このような釣り針収納溝は、釣り針収納溝が途切れており、各溝が独立しているため、多数の釣り針を絡まないように収納することが出来る。イカリ針の収納においてはイカリ針を差し込む位置と方向を容易に正確に選ぶことができ、イカリ針の取扱勝手をよくすることができるとともに、イカリ針のような複数本の釣り針を束ねた針でない通常の釣り針を収納する場合には、その収納数を多くしても、整然と、正確に、ハリスと針あるいは針どうし、ハリス同士のからみがなく収納することができる。
【０１４３】
図５の釣り針収納溝４８ｆ、４８ｇは、その釣り針収納部底部４８ａの周方向に対してなす傾き角が図４の場合と異なる例である。釣り針収納溝４８ｆ、４８ｇは、釣り針収納部底部４８ａの周方向に対して図４の場合よりも大きく傾けた角度をなした櫛状の溝が２列になるように多数形成されており、一つ一つの溝は独立して形成されている。
【０１４４】
図６の釣り針収納溝４８ｈ，４８ｉは溝の長さ方向が互いに異なる方向になるように形成されている例である。釣り針収納溝４８ｈと釣り針収納溝４８ｉは、釣り針収納部底部４８ａの中央部付近に、溝の長さ方向の中心のまわりに溝を右と左に回転させた状態のように釣り針収納溝４８ｈと釣り針収納溝４８ｉが交互に並んでおり、いわゆる折れ線の一部になるように１周分程度形成されている。
【０１４５】
図示していないが、図４〜図６に示した側壁には数カ所に、図１で説明した切り込み部が形成されている。釣り針収納溝に差し込まれて保持されている釣り針についているハリスは、側壁の適切な切り込み部を通ってハリス収納部に導かれ、そこに巻きつけられるように収納される。収納されたハリスは、前記のように、その弾力のために広がろうとして前記突起に緩く束縛されてハリス収納部に収納され続ける。
【０１４６】
図４〜図６に示した釣り針収納具本体の釣り針収納部の構成は、基本的に図３の場合と同様である。
【０１４７】
図４〜図６に示した釣り針収納具本体には、いずれも釣り針収納溝が形成されている釣り針収納部の両側にそれぞれハリス収納部が設けられている。それぞれの釣り針収納溝に差し込む釣り針のハリスを、前記釣り針収納部の両側のハリス収納部のいずれかに収納することができる。このとき、各溝の構造が収納しやすさを助けることになる。
【０１４８】
図４〜図６に示した釣り針収納具本体において、ハリス収納部の突起のいくつかの形態を示した。すなわち、図４の場合は、側壁に形成されており、図５の場合は、内側壁に形成されており、いずれの場合もその根本がある側壁または内側壁に垂直に、当該側壁と内側壁の間隔の１／２以上〜当該側壁と内側壁の間隔におおむね近い長さで、ハリス収納部の内側壁の外周部近傍、すなわちハリス収納部の開口部近傍に形成されている。このように形成された突起は、ハリスの収納・取り出しを容易にし、確実にする。各ハリス収納部に形成されている突起の数は４本以上で、ハリスの有害な飛び出しを防ぐように、ハリス収納部の形状・寸法に応じて増やすのが効果的である。突起の形状は、その付け根の径方向平均寸法の１．５倍以上の長さを有するように形成すると、ハリスの収納を確実に行うことができ、ハリスを収納し易く、取り出しやすい。図６の場合は、突起が、ハリス収納部の開口部近傍において、外壁と内側壁上に対向して設けられており、その対向している突起の長さの合計は当該側壁と内側壁の間隔におおむね近い長さで、突起の形状は、その付け根の径方向平均寸法の１．５倍以上の前記合計長さを有するように形成されている。各ハリス収納部に形成されている突起の数は４本以上で、ハリスの有害な飛び出しを防ぐように、ハリス収納部の形状・寸法に応じて増やすのが効果的である。なお、突起の長さは、前記直近の突起が対向している突起の場合はその合計の長さが、また、対向する壁の一方の側から他方の側に一方向に形成されている場合はそれぞれの長さが、前記対向する壁の間隔の１／２以上〜おおむね１倍の長さであることがハリスの収納の安定性と、ハリスの収納し易さ、取り出し易さの観点から好ましい。
【０１４９】
図４〜図６を用いて説明したような釣り針収納具に釣り針を収納する場合は、釣り針収納溝に釣り針の針軸を差し込んで収納した後に、そのハリスを指などでもち、突起に押しつけるようにしてハリス収納部に巻きつけて収納する。突起がハリス収納部の入り口部分にあるため、ハリスはある程度ゆるく固定され、絡まったりすることが無く、ハリスにくせを付けることなく長時間の収納が可能となる。
【０１５０】
また、側壁の外径が、外壁の外径よりも大きく作られており、そして釣り針収納部の釣り針収納溝に釣り針の針先や針軸を差し込んで収納したした状態での、少なくとも針先の位置よりも大きな外径になるように形成されているため、携帯中に手などを傷つけることが無いように収納することが出来る。
【０１５１】
図７〜図１４は本発明の実施の形態例としての釣り針収納具本体の釣り針収納溝の形状を説明するための断面図である。図７〜図１３は、たとえば図２の外側部凹部の釣り針収納溝の種々の例を示したものであり、釣り針収納溝以外の部分は図２の外側部凹部の一部を示しており、図１４はハリス収納部が１つの場合を合わせて示した図である。
【０１５２】
図７〜図１４において、符号４０ａ１〜４０ｈ１は本発明の釣り針収納具本体、４８ｍ１〜４８ｍ８は釣り針収納溝、４８ｎ１，４８ｎ２はそれぞれ釣り針収納溝４８ｍ６，４８ｍ７の入口部分、７５，７７ａは釣り針収納具本体の外壁、７５ａ，７７ｂは外壁７５，７７ａの裏面で外側部凹部の内側壁、７７は外壁７７ａの裏面でハリス収納部の内側壁になっている部分、７８は側壁、７８ａは側壁７８に形成されている突起、８５は４本イカリ針、８６は３本イカリ針である。
【０１５３】
図７で、釣り針収納溝４８ｍ１はその入口部分の近傍から溝の底部近傍までおおむね同じ幅に形成されており、その幅寸法は差し込まれる釣り針の差し込まれる部分より少し狭い幅に形成されている。図７はイカリ針８５の１本の針が釣り針収納溝４８ｍ１内に差し込まれて収納されている状態を示している。このように釣り針が４本ついている４本イカリ針の場合、４本の釣り針の内の１本を針先から釣り針収納溝に差し込んで収納することができる。なお、４本イカリ針の１本の針を釣り針収納溝に差し込んで収納する代わりに針軸を釣り針収納溝に差し込んで収納することもできる。
【０１５４】
図８で、釣り針収納部底部４８ａに凹部４８ａ１が形成されており、凹部４８ａ１の中央部に釣り針収納溝４８ｍ２が形成されている。釣り針収納溝４８ｍ２はその入口部分の近傍から溝の底部近傍までおおむね同じ幅に形成されており、その幅寸法は差し込まれる釣り針の差し込まれる部分より少し狭い幅に形成されている。図８の釣り針収納部は４本イカリ針収納用にも３本イカリ針針収納用にも使用することができるものである。図８は凹部４８ａ１に３本イカリ針の２本の針を挟み込んで収納している状態を示しており、凹部４８ａ１の幅は３本イカリ針の２本の針の幅よりも少し狭く形成してあり、凹部４８ａ１の弾性力によってイカリ針を挟み込んで保持している。４本イカリ針を収納する場合は、４本の釣り針の内の１本を釣り針収納溝４８ｍ２に差し込んで収納することができる。なお、３本イカリ針の２本の針を凹部４８ａ１に挟み込んで収納したり４本イカリ針の１本の針を釣り針収納溝に差し込んで収納する代わりに針軸を釣り針収納溝に差し込んで収納することもできる。
【０１５５】
図９は釣り針収納溝４８ｍ３の断面がＳ字になるように作られている例で、図１０は釣り針収納溝４８ｍ４の断面が波形になるように作られている例、図１４は釣り針収納溝４８ｍ８の断面が鍵穴のように凹凸形状をもつように形成されている例である。釣り針収納溝の断面をこのようなＳ字型、波形、凹凸形状にすることにより、そこに差し込んだ釣り針が抜けにくくなり、溝幅を幾分広くして釣り針を差し込みやすくすることができ、使いやすい釣り針収納具にすることができる。
【０１５６】
図１１は釣り針収納溝４８ｍ５の断面がＳ字になるように作られている例で、深さを工夫して保持力を出せるようにし、釣り針を入れやすくした例である。
【０１５７】
図１２は釣り針収納溝４８ｍ６の断面の入口にテーパ状に加工した加工面を形成した例であり、図１３は釣り針収納溝４８ｍ７の断面の入口に、断面ではたとえば円形になる曲面に加工した加工面を形成した例である。いずれも図７〜図１１および図１４に示した釣り針収納溝をはじめ、本発明の釣り針収納溝に広く適用することができるもので、釣り針の収納をし易くする大きな効果をもたらすものである。
【０１５８】
図７〜図１４に示した釣り針収納溝は、シリコーンゴムなどの弾性体で形成することができる。
【０１５９】
なお、本発明の釣り針収納具の側壁の配置および形状，突起の配置および形状、釣り針収納溝の形状は上記のようなものに限定されるものではなく種々の形態をとることが出来る。
【０１６０】
図１５〜図１９は、本発明の実施の形態例としての釣り針収納具本体のハリス収納部に形成されている突起を説明する正面図で、側壁のハリス収納部を形成している部分またはハリス収納部の内側壁に形成されている突起の実施の形態例を説明する図であり、釣り針収納具本体の外側部の外側から釣り針収納具本体をみた側面図である。
【０１６１】
図１５〜図１９で、符号４２ｂ１〜４２ｂ３，４３ｂ１〜４３ｂ３，４６ｂ１〜４６ｂ３，４７ｂ１〜４７ｂ３は突起、その他の符号は前記と同様である。
【０１６２】
図１５と図１７〜図１９の釣り針収納具本体には、釣り針収納部とハリス収納部の間に側壁が設けられており、図１６の釣り針収納具本体には、釣り針収納部とハリス収納部の間に側壁が設けられていない。
【０１６３】
図１５と図１６の突起４２ａ，４３ａ，５４，５５は、対向して配置されているハリス収納部の内側壁と側壁のハリス収納部開口部近傍の一方から他方に向けて形成されており、各突起の長さは前記内側壁と側壁の間隔よりわずかに短い。そして、各突起の断面は円形に近い形状で、その長さはその付け根部分の直径の１．５倍以上になっている。なお，この突起の断面形状は，円形でないものも実用化可能であり，たとえば，楕円形，角型等，突起の曲げにおける弾性力を利用して，ハリスの収納や取出しを容易にするとともに，収納されているハリスをゆるく束縛して，自然にほぐれるのを防ぐようにすることができる。この場合も，突起の長さをその付け根部分の直径の１．５倍以上にすることが好ましい。突起の長さをその付け根部分の直径の１．５倍以上にすることは本発明の効果を大きくする上で重要なことである。
【０１６４】
本発明の突起はさらに細く形成することができる。たとえば、付け根部分の直径の２倍以上にすると，ハリスを当てたときの感触がやわらかくなり，ハリス収納部の開口部に設ける突起の本数を多くして，突起の太さをさらに細く，たとえば、付け根部分の直径の３倍以上にして、ハリスの収納や取り出し時の感触をやわらかくすることもできる。このように，本発明の技術思想は，ユーザの使いやすい釣り針収納具を提供することができるものである。
【０１６５】
釣り針収納溝４８は、入口部分にテーパ加工が施されている。
【０１６６】
図１７〜図１９の突起４２ｂ１〜４２ｂ３，４３ｂ１〜４３ｂ３は、ハリス収納部の開口部近傍に、ハリス収納部の側壁４２，４３の内側壁４６，４７に対向している部分から内側壁４６，４７に向けて側壁４２，４３に垂直に形成されており，突起４６ｂ１〜４６ｂ３，４７ｂ１〜４７ｂ３は、ハリス収納部の開口部近傍に、ハリス収納部の内側壁４６，４７から側壁４２，４３に向けて内側壁４６，４７に垂直に形成されている。
【０１６７】
図１７の突起４２ｂ１と突起４６ｂ１および突起４３ｂ１と突起４７ｂ１はそれぞれ内側壁と側壁の対向する位置に、すなわち向かい合う突起の延長線がぶつかるように、当該内側壁と側壁に垂直に形成されており、各ハリス収納部の開口部に設けられており、各対向する突起の長さの合計が、その突起の位置における当該内側壁と側壁の間隔よりも短く形成されている。
【０１６８】
図１８の突起４２ｂ２と突起４６ｂ２および突起４３ｂ２と突起４７ｂ２はそれぞれ内側壁と側壁の各ハリス収納部の開口部に設けられており、当該内側壁の外周に沿って、周方向に突起４２ｂ２、突起４６ｂ２、突起４２ｂ２、突起４６ｂ２というように交互に、すなわち向かい合う突起の延長線同士がぶつからないように、そして各延長線が等間隔になるように、当該内側壁と側壁に垂直に形成されており、前記周方向に隣り合う突起の長さの合計が、その突起の位置における当該内側壁と側壁の間隔よりも短く形成されている。突起４３ｂ２と突起４７ｂ２の場合も突起４２ｂ２と突起４６ｂ２の場合と同様である。
【０１６９】
図１９の突起４２ｂ３と突起４６ｂ３および突起４３ｂ３と突起４７ｂ３はそれぞれ内側壁と側壁の各ハリス収納部の開口部に設けられており、当該内側壁の外周に沿って、周方向に突起４２ｂ３、突起４６ｂ３、突起４２ｂ３、突起４６ｂ３というように交互に、すなわち向かい合う突起の延長線同士がぶつからないように、そして各延長線が等間隔になるように、当該内側壁と側壁に垂直に形成されており、前記周方向に隣り合う突起の長さの合計が、その突起の位置における当該内側壁と側壁の間隔よりも長く形成されている。突起４３ｂ３と突起４７ｂ３の場合も突起４２ｂ３と突起４６ｂ３の場合と同様である。
【０１７０】
図１７〜図１９で説明したこれらの突起の形状は、たとえば、これに限られないが、各突起を断面が同一直径の円形になるように形成しており、前記各対応するたとえば突起４２ｂ２と突起４６ｂ２の長さの合計がその根本の直径の１．５倍以上になるように、突起４３ｂ２と突起４７ｂ２の長さの合計がその根本の直径の１．５倍以上になるように形成すると、ハリスを入れやすく、収納している釣り針を取り出すときも取り出しやすい。
【０１７１】
なお、図１５，図１７〜図１９において、図示していないが、各側壁には複数箇所に前記切り込み部が形成されている。
【０１７２】
図２０および図２１は、本発明の釣り針収納具の例を説明するための図で、図２０は本発明の釣り針収納具本体を釣り針収納溝がある小口側から見た平面図、図２１は図２１の直線Ｘ７−Ｘ８の位置で切った断面図である。
【０１７３】
図２０および図２１において、符号１３０は本発明の釣り針収納具本体、１３１は釣り針収納具本体１３０を構成している胴体、１３１ａは胴体１３１の上面、１３３は釣り針収納具本体１３０の小口側、１３１ｂは小口側１３３と反対側の小口側、１３０ａは釣り針収納具本体１３０の外側部、１３２は釣り針収納具本体の胴体１３１の上面１３１ａの中央部付近に設けられた円筒状の突出部（ドテとも称する）、１３６は外側部１３０ａに形成されたハリス収納部、１３６ａはハリス収納部１３６の内側壁、１３６ｂはハリス収納部１３６の底部、１３４はハリス収納部の開口部に形成された弾性体の突起、１３５は小口側１３３に設けられた釣り針収納溝、１３８は側壁、１３７は側壁１３８に設けられた切り込み部である。
【０１７４】
釣り針収納部は釣り針収納溝１３５とその周辺の上面１３１ａならびにその周辺の空間で構成されており、ハリス収納部１３６は側壁１３８およびそれに対向している内側壁１３６ａとハリス収納部底部１３６ｂならびに突起１３４で構成されている。突起１３４は内側壁の外周部に内側壁に垂直に側壁１３８の方向に向けて形成されている。
【０１７５】
側壁１３８は、小口側１３３の外周部が、その部分の外側部１３０ａにハリス収納部が形成された結果薄い板状になったもので、釣り針収納溝１３５を含む釣り針収納部とハリス収納部１３６の間に形成されている。側壁１３８には切り込み部が等間隔に６個形成されている。
【０１７６】
釣り針収納溝１３５は小口側１３３のドテ１３２の外側に、ドテから釣り針の寸法を考慮して適宜離れた位置に、螺旋が途切れた形で形成されている。釣り針収納溝１３５は釣り針を収納できる程度の幅と深さである。
【０１７７】
釣り針収納具本体１３０はシリコーンゴムで一体形成技術によって形成されている。
【０１７８】
図２０および図２１は釣り針収納溝１３５を含む釣り針収納部が釣り針収納具本体１３０の小口側に形成されており、ハリス収納部１３６が釣り針収納具本体１３０の外側部１３０ａに形成されており、釣り針収納部とハリス収納部の間に側壁が設けられている例である。
【０１７９】
図２０および図２１を用いて説明した本発明の釣り針収納具に釣り針を収納する場合、釣り針収納溝１３５に釣り針の針軸を差し込んだ後に、ハリスを指でつまみ、側壁１３８に設けられた切り込みを介して、突起１３４に押しつけるようにしてハリス収納部１３６にハリスを収納する。
【０１８０】
図２０および図２１を用いて説明したような釣り針収納具にハリスのついたイカリ針を収納する場合、針の部分は小口側に保持されており、ハリスは外側部に巻きつけるので、ハリスをつまんでいる指がイカリ針の針先に触れることなく安全に素早くハリスをハリス収納部に巻きつけることができる。
【０１８１】
ハリス収納部に収納されたハリスが有害なくせがつくことなく長時間の収納が可能となることは前記他の例の場合と同様である。そして、突起１３４がそれぞれハリス収納部１３６の入り口部分にあるため、ハリスはゆるやかに束縛され、くせがついたり絡まったりすることが無くなる。また、ドテ１３２の高さが収納した際の釣り針の高さよりも高いため、携帯中に手などを傷つけることが無いようにすることが出来る。
【０１８２】
また、図２０および図２１を用いて説明した釣り針収納具の釣り針収納溝は、上述のような形状に限られるものでなく、多くの種類の溝を用いることができる。
【０１８３】
図２２と図２３は釣り針収納具本体の小口側に釣り針収納部とハリス収納部が形成されている例で、図２２は小口側から見た平面図、図２３は図２２の直線Ｘ９−Ｘ１０の部分で切った断面図ある。
【０１８４】
図２２と図２３で、符号１００は釣り針収納具本体、１０１ａは小口側、１０１ｂは外側部、１０２はドテ、１０３は側壁、１０４はハリス収納部の内側壁、１０５は釣り針収納部の釣り針収納溝、１０６は弾性体の突起、１０７はハリス収納部、１０８は空洞部である。
【０１８５】
釣り針収納溝１０５は小口側１０１ａの側壁１０３とドテ１０２の中間に１周あまり設けられており、その断面形状は、前記のような種々の形状・寸法が用いられる。また、釣り針収納溝の長手方向の形状、すなわち、図２２のように小口側から見た平面図における釣り針収納具本体の外周に沿った方向の形状は、これに限られず、前記外側部凹部に設けた釣り針収納溝と同様に種々のバリエーションが可能である。
【０１８６】
ドテ１０２は釣り針収納溝１０５に収納された釣り針の高さよりも高く形成されている。このようにすることにより、たとえばハリス付き４本イカリ針を収納した釣り針収納具本体１００をケースに入れた場合に、ドテによりイカリ針が保護されることになる。
【０１８７】
側壁１０６は釣り針収納溝１０５に収納された釣り針の、少なくとも針先の高さよりも高く形成されている。このようにすることにより、釣り針収納溝１０５に収納したたとえばハリス付き４本イカリ針のハリスを指でつまみハリス収納部に収納するときに、指をイカリ針に刺してけがをする危険から保護することができる。また、たとえばハリス付き４本イカリ針を収納した釣り針収納具本体１００をケースに入れた場合に、ケースの蓋を閉めた場合に蓋が針を押しつけないように側壁で保護することができる高さに側壁の高さを決めて側壁を形成することができる。
【０１８８】
図２２と図２３を用いて説明した本発明の釣り針収納具本体は、そこに収納するハリス付き釣り針の釣り針部分とハリス部分の収納場所がともに小口側にあるため、蓋付きのケースに入れて使用する場合、釣り針部分とハリス部分の収納場所をともに蓋の側になるような蓋を用いることによって、釣り針の収納や取り出しを容易にすることができる。
【０１８９】
図２４〜図２７は小口側の釣り針収納溝のいくつかの例を示した平面図である。
【０１９０】
図２４〜図２７で、符号１００ａ〜１００ｄは釣り針収納具本体、１０９は釣り針収納具本体の小口側、１１０〜１１３は釣り針収納溝である。釣り針収納溝の形状と配置を除き図２２および図２３の例と異なる主な部分は、小口側の中央部分に空洞部とドテが形成されていないことである。この空洞部とドテは、各釣り針収納具本体の用途、要求されるコストなどに応じて設ける場合もある。したがって、前記以外の符号で各図に使用している符号は、図２２および図２３と同じ符号を付けて示してある。
【０１９１】
図２４〜図２７に示した釣り針収納溝は、短い直線状の溝を、溝の中心が、外周が円形の釣り針収納具本体１００ａの中心を中心とする円周上に等間隔に設けられており、隣り合った各溝は、溝の中心と釣り針収納具本体の中心を結んだ線と所定の角度θ１０を張るように形成されている。図２４の釣り針収納溝１１０では角度θ１０が４５°に、図２５釣り針収納溝１１１では、角度θ１０が３０°に形成された例で、図２６の釣り針収納溝１１２は、角度θ１０が６０°にになるように形成された例である。たとえば、釣り針がイカリ針の場合、その釣り針収納具本体への出し入れにおいて、指を傷つけないようにする必要がある。これらの釣り針収納溝の形状・寸法は、そこに収納される釣り針の種類によって適宜選択される。
【０１９２】
図２８と図２９は、ハリス収納部の別の例を示す図で、図２８は平面図、図２９は図２８の直線Ｘ１１−Ｘ１２の位置で切った断面図である。
【０１９３】
図２８と図２９で、符号１１４は釣り針収納具本体、１１５は釣り針収納溝、１１６はハリス収納部、１１７はハリス収納部１１６の開口部に形成された弾性体の突起、１１８ａ〜１１８ｃはハリス収納部１１６の内側壁、１２０はハリス収納部１１６の開口部である。
図２８と図２９で、釣り針収納溝１１５に収納した釣り針のハリスをハリス収納部１１６の開口部１２０からハリス収納部１１６に挿入して収納する。ハリス収納部１１６に収納されたハリスは、その弾力により広がろうとするが、多くの場合、ハリス収納部の内側壁１１８ａ〜１１８ｃに緩く束縛されて、実用的に長時間収納しても有害な変形をすることなく収納される。また、ときには突起１１７に当たることもある。たとえば、ハリスとして弾力性の強いハリスを用いている場合、ハリス収納部１１６に収納されたハリスは、強い弾力性のため、自然に広がってハリス収納部１１６の内側壁１１８ａ方向に広がろうとする結果、内側壁１１８ａに緩く束縛されてハリス収納部１１６外に飛び出さない。したがって、釣り針とハリスによっては、図２８と図２９のハリス収納部１１６に突起１１７を設けなくても収納したハリスが飛び出さず、突起１１７を設けなくてもよい場合がある。
【０１９４】
図３０〜図３２は本発明の釣り針収納具の特に好ましい例の一つを説明する図で、図３０は釣り針収納具本体を小口側から見た平面図、図３１は釣り針収納具本体を外側部から見た側面図、図３２は図３０と図３１に示した釣り針収納具本体を図３０の直線Ｘ２１−Ｘ２２の位置で切った断面図である。
【０１９５】
図３０〜図３２で、符号３００は釣り針収納具本体、３０１ａと３０１ｃは釣り針収納具本体３００の小口側、３０１ｂは釣り針収納具本体の外側部、３０２ａは釣り針収納部、３０２ｂは釣り針収納部３０２ａに形成されている長方形の開口部を有する釣り針収納溝、３０３は側壁、３０４は側壁３０３に形成されている切り込み部、３２０はハリス収納部、３２１はハリス収納部底部、３０５はハリス収納部の内側壁、３０６ａと３０６ｂは突起、３０７は小口側３０１ａの釣り針収納部３０２ａよりも内側に形成されている突出部（ドテ）、３０８はドテ３０７の内側に形成され小口側３０１ａ側から小口側３０１ｃ側へ貫通して形成されている空洞部、３１７は釣り針収納具本体の胴体、３２０ａはハリス収納部３２０の開口部、３１１と３１２は釣り針収納具本体３００の中心線、３１０は釣り針収納具本体３００の中心で、中心線３１１と中心線３１２の交点、３２１ａはハリス収納部底部３２１の位置を説明するための線、３１３は釣り針収納溝の中心と釣り針収納具本体の中心を結んだ線を延長した釣り針収納溝径方向直線、３１４は切り込み部の開口部の中心と釣り針収納具本体の中心を結んだ直線を延長した切り込み部径方向直線、３１５は釣り針収納溝開口部の中心における開口部の輪郭の側壁に近い方の接線、すなわち、釣り針収納溝接線方向直線（これは、釣り針収納溝の長方形の開口部の側壁に近い方の直線にほぼ同じである）、３１６は切り込み部の開口部の中心と底部の中心を結んだ線を延長した直線である切り込み部中心線、θａは釣り針収納溝径方向直線３１３と釣り針収納溝接線方向直線３１５のなす角、θｂは切り込み部径方向直線３１４と切り込み部中心線３１６のなす角である。
【０１９６】
図３０〜図３２に示したように、釣り針収納溝３０２ｂとその周辺部で構成される釣り針収納部３０２ａは、釣り針収納具本体３００の小口側３０１ａに、ドテ３０７の外側に形成されており、ハリス収納部３２０は釣り針収納具本体３００の外側部３０１ｂにその中央よりも小口側３０１ａに寄った位置に形成されており、釣り針収納部３０２ａとハリス収納部３２０の間には、仕切部としての側壁３０３が形成されている。
【０１９７】
側壁３０３は、切り込み部での変化を除き、その外周が円形で、側壁３０３の外周の中心は釣り針収納具本体３００の中心におおよそ一致している。
【０１９８】
突起３０６ａはハリス収納部３２０の内側壁３０５に、側壁３０３の方向に向けて、内側壁３０５に垂直に形成されており、突起３０６ｂは側壁３０３のハリス収納部３２０の内側壁３０５に対向している面から、内側壁３０５の方向に向けて、側壁３０３に垂直に形成されている。そして、突起３０６ａと突起３０６ｂはハリス収納部の開口部３２０ａに形成されており、ハリス収納部の開口部３２０ａの周方向に、互いに重ならない位置に交互に形成されている。
【０１９９】
釣り針収納溝３０２ｂは、小口側３０１ａの上面の溝入口の形状が長方形に形成され、前記長方形の幅は、そこに釣り針を差し込んだときに、釣り針により広げられ、その戻る力で差し込まれた釣り針をはさみこむような寸法に形成されている。そして釣り針収納溝３０２ｂの傾きを示す前記角度θａが約３０°に形成されている。
【０２００】
前記角度θａは、角度θａが鋭角になる部分で釣り針収納溝径方向直線から釣り針収納溝接線方向直線の方向へ反時計回りに測った角度θａを正の角度として、＋１５〜＋４５°または−１５°〜−４５°に形成することが特に好ましい。この条件は、イカリ針の収納には特に効果的である。図３０の例では、θａが−３０°になっている。この角度θａの条件は、ハリス付き釣り針の取扱中に危険が伴うイカリ針のような場合にも、取扱中の安全性を高くして釣り針の収納密度を上げることができる。
【０２０１】
角度θａが−１５°〜−４５°の場合は、図３３のようにイカリ針を収納した場合、針軸とハリスを釣り針収納部３０２ａの外側に向けて収納すれば、側壁の切り込み部が後述のθｂが−３０°に形成されているため、釣り針収納部３０２ａの外側に形成されているハリス収納部にハリスを側壁の切り込み部を介して収納するときにハリスを収納し易いという利点がある。角度θａが−１５°〜−４５°の場合は、後述のθｂが＋３０°の切り込み部を有する側壁を用いて同様の効果をもたらすことが出来る。そして、これらの角度θａの条件は、多数のイカリ針の収納に用いる釣り針収納具本体３００を小型にしたい場合には、ハリスを外周部に収納する形態がよく、特に好ましい条件ということができる。もちろん、収納する釣り針がイカリ針以外の場合にも、この条件は好ましい。
【０２０２】
ハリスを釣り針収納部の内側に収納することも出来る。この場合は、多数のイカリ針の収納においては、ハリスを収納する時に針先から指先を守るため、釣り針収納部の寸法を適宜大きくすることが好ましい。
【０２０３】
側壁３０３の切り込み部３０４の前記角度θｂは約３０°に形成されている。この角度θｂの値は、ハリスの収納をユーザーが自然の動作と感じる位に容易にしている。釣り針収納具本体に収納する釣り針の種類によって、この角度θｂは適宜決めることができるが、角度θｂが、その鋭角となる部分で切り込み部径方向直線から切り込み部中心線の方向へ反時計回りに測った角度ｂを正の角度として、＋１５°〜＋４５°あるいは−１５°〜−４５°になるように切り込み部を形成することにより、特にイカリ針についているハリスの収納を容易に、そして確実にすることができる。図３０の例では、θｂが−３０°になっている。角度θｂを正の値にするか、負の値にするかは、前記角度θａの正負と絡めて決めるのが好ましい。
【０２０４】
前記角度θａと角度θｂの条件は、釣り針が鮎釣りによく用いられる３本イカリ針や４本イカリ針のようなイカリ針の場合は重要な条件である。前記の如く、イカリ針は指がちょっと触れただけでも指に刺さってしまう。この危険を、釣り針の収納し易さを犠牲にしないで回避するには、前記角度θａの条件とともにこの角度θｂの条件を満たすことが好ましい。
【０２０５】
図３３は、図３０〜図３２を用いて説明した釣り針収納具本体３００に、鮎釣り用のイカリ針を収納した様子を説明するため、釣り針収納具本体３００のほぼ半分を拡大して示した平面図である。
【０２０６】
図３３で、符号３３０ａ、３３０ｂは３本イカリ針、３３１ａ、３３１ｂはそれぞれイカリ針３３０ａ、３３０ｂにつけられているハリスで、ハリス収納部３２０に収納されている様子を説明するために側壁３０３の陰になって見えない部分を針軸に近い部分だけ点線で示してある。
図３０〜図３３で説明した釣り針収納具本体３００にイカリ針を収納する場合、先ず３本イカリ針３３０ａの１本の針先を釣り針収納溝３０２ｂ１に差しこむ。釣り針収納溝３０２ｂ１の幅が、そこに差し込まれたイカリ針の針先の太さよりも狭く形成されているため、釣り針収納溝３０２ｂ１は針先を挟み込んで、イカリ針３３０ａは溝に保持される。次に、イカリ針３３０ａの針軸についているハリス３３１ａを指でつまみ、ハリス収納部３０４に、そこに形成されている突起３０６ａと突起３０６ｂに押しつけるようにして、ハリス収納部に巻きつけるようにして収納する。
【０２０７】
次に、３本イカリ針３３０ｂの１本の針先を釣り針収納溝３０２ｂ２に差し込んでイカリ針３３０ａの場合と同様に収納し、その針軸についているハリス３３１ｂを指でつまみハリス収納部３０４に巻きつけるようにして収納する。
【０２０８】
以下、同様にして、１つの釣り針収納溝に１本のイカリ針を収納し、そのハリスをハリス収納部に収納しながら、必要な数のイカリ針を釣り針収納溝３０２ｂに順次収納し、ハリスをハリス収納部３０４に収納していく。
【０２０９】
各イカリ針は図示のようにその針軸の方向に針先が向いているので、１本のイカリ針を取り出そうとするときは、イカリ針の針軸などを指でつまんで溝から引き抜くので、隣の針先に指が当たらないように注意しながら引き抜く。多くの場合、釣りに携帯するときの利便性から、釣り針収納具はできるだけ小さくし、１つの釣り針収納具には出来るだけ多数のイカリ針を収納したいというのが願望である。しかも、ハリスは有害なクセがつかないように、互いに強くからまらないように、そして、イカリ針を１本だけ取り出すときには他のイカリ針のハリスをゴチャゴチャにしたりせずに、イカリ針についているハリスを簡単に引き出せることが重要である。本発明の釣り針収納具はこのような要望を満たすものである。ハリス収納部の断面の形状と寸法をあまり極端に狭くしなければ、ハリスはハリス収納部内に緩く束縛されて収納されているため、引き出されるハリスが他のハリスを一緒に引き出してしまう心配をしなくてもよい。
【０２１０】
ドテ３０７は釣り針収納具本体の使用形態によっては釣り針の安定と取扱の安全に効果を発揮する。しかし、後述のケースの仕様その他釣り針収納具本体の使用の形態によっては必ずしも設けなくてもよい。
【０２１１】
また、ドテ３０７の位置に側壁とハリス収納部を形成することも出来る。これは釣り針がイカリ針のように複数の釣り針を束ねたものでない単身の釣り針の場合は特に収納数を増やすことが出きるなどの効果がある。
【０２１２】
図３４は、図３０〜図３２に示した釣り針収納具本体３００のドテ３０７を設けない例を説明する断面図で、図３２と同様の位置における断面図である。
【０２１３】
図３４で、符号３００ａは釣り針収納具本体、φ６は釣り針収納具本体３００ａの直径、φ１は側壁の直径、φ４は空洞部の直径、ｔ１は釣り針収納具本体３００ａの厚み、ｔ２はハリス収納部の側壁と内側壁の間隔、ｗ１０は釣り針収納溝の幅をそれぞれ示す符号である。釣り針収納溝、ハリス収納部、側壁などは図３０〜図３２の釣り針収納具本体３００と同様である。そして、釣り針収納具本体３００ａへのハリス付きイカリ針の収納については図３３で説明したのと同様である。
【０２１４】
釣り針収納具本体３００ａの寸法例については図３６に示すが、この釣り針収納具は小型化に優れ、鮎釣りなどのイカリ針を使用する釣りに携行するのに非常に便利なものである。
【０２１５】
図３５と図３６は主要部が図３４の釣り針収納具本体３００ａとほとんど同じで細部が多少異なる釣り針収納具本体の胴体３１７の一部を切り取った形状の釣り針収納具本体３００ａ１をケースに収納した本発明の釣り針収納具の構造と寸法を説明する断面図で、図３４の場合と同様の位置の断面図である。図３５では、各部の寸法を符号で説明しており、図３６には、その特に好ましい寸法例を示してある。
【０２１６】
図３５と図３６で、符号３５０は釣り針収納具本体をケースに装着した釣り針収納具、３００ａ１は釣り針収納具本体、３５１はケース、３５２はケース３５１の上ケース、３５３はケース３５１の下ケース、３５４は上ケースと下ケースを接続している蝶番、３５５は上ケースを閉めたときの上ケースと下ケースのかみ合い部、３５６は下ケースの中央部に形成されている突出部、３５７は側壁３０３のハリス収納部の入口部に形成されている突起、φ１は側壁の直径、φ２はハリス収納部の底部の直径、φ３は釣り針収納溝の外側の直径、φ４は釣り針収納具本体の空洞部の直径（下ケースの突出部が入る程度の寸法差を有してその外径におおむね等しい）、φ５は下ケースの突出部の内径、φ６は釣り針収納具本体の最大径、φ７はケース３５１の最大径、φ１０は側壁のハリス収納部の入口部に形成されている突起の直径、Ｌ１は突起３５７の長さ、ｔ３は側壁３０３の厚み、ｔ１０は釣り針収納具の厚み、ｔ１１は釣り針収納具本体を入れた状態での下ケース下面から釣り針収納具本体上面までの厚み、ｔ１２は下ケースの突出部の釣り針収納具本体から突き出ている部分の高さ、ｔ１３は釣り針収納溝３０２ｂの深さ、ｗ２０はハリス収納部３２０の奥行き（側壁３０３の幅に等しい）、ｗ３０はハリス収納部の幅である。
【０２１７】
図３５の釣り針収納具３５０にハリス付き釣り針を装着する場合、釣り針収納具本体３００ａ１をケースから取り出し、前記のように釣り針とハリスを釣り針収納具本体３００ａ１に収納して後、釣り針収納具本体３００ａ１をケースに装着する。たとえば、釣りに携行したときに、釣り針を１本それについているハリスとともに釣り針収納具３５０から取り出す場合、下ケース３５３の突出部３５６に一方の手の親指以外の指を１本入れ、下ケースの外周に同じ方の手の親指を当てて、前記突出部に入れた指と該親指とで下ケース３５３をつかみ、他方の手で上ケース３５２のかみ合い部３５５を開けると、ケース３５１を安全に容易に開けることができ、１本の釣り針を指でつまんで釣り針収納具から引き出すと、該ハリスを他のハリスとからませることなく、ハリスとともに簡単に、素早く、確実に、安全に取り出すことが出来る。
【０２１８】
図３６に図３５で符号で示した寸法の例をｍｍ単位で示してある。図３６で、側壁の直径φ１が７０．５ｍｍ、ハリス収納部の側壁の直径φ２が５６ｍｍ、釣り針収納溝の外側の直径φ３が４９ｍｍ、釣り針収納具本体の空洞部の直径φ４が２４ｍｍ、下ケースの突出部の内径φ５が２０ｍｍ、釣り針収納具本体の最大径φ６が７２ｍｍ、ケース３５１の最大径φ７が８２ｍｍ、側壁のハリス収納部の入口部に形成されている突起の直径φ１０が１．２ｍｍ、突起３５７の長さＬ１が２．１ｍｍ、側壁３０３の厚みｔ３が１．５ｍｍ、釣り針収納具本体の厚みｔ１０が２７ｍｍ、釣り針収納具本体を入れた状態での下ケース下面から釣り針収納具本体上面までの厚みｔ１１が１３．５ｍｍ、下ケースの突出部の釣り針収納具本体から突き出ている部分の高さｔ１２が１２ｍｍ、釣り針収納溝３０２ｂの深さｔ１３が１１ｍｍ、ハリス収納部３２０の奥行きｗ２０が７．２５ｍｍ、ハリス収納部の幅ｗ３０が３ｍｍである。本発明の技術思想を用いたためにこのような小型の釣り針収納具が実用化されたことは、たとえば鮎釣り人にとって大きな福音をもたらすものである。
【０２１９】
図３６に示した寸法の釣り針収納具には、鮎釣り用のハリス付き３本または４本イカリ針を１２本収納することが出来る。この寸法でこの釣り針収納能力は、従来では全く実現できなかったものであるとともに、本発明によって、ハリス付きイカリ針の収納において大問題であったハリスの変形、取り出し時のハリスのからみ、指の怪我の危険性、釣り針の取扱にくさなどの諸問題を解決することが出来た。
【０２２０】
図３７および図３８は、本発明の釣り針収納具におけるケースの他の例について説明する図で、図３７はケースから釣り針の取り出しについて説明する斜視図、図３８は図３７の釣り針収納具を中央部の直線Ｘ２５−Ｘ２６の位置で切った断面図である。
【０２２１】
図３７および図３８において、符号１８０は本発明の釣り針収納具、１８１は釣り針収納具本体、１８２は本発明の釣り針収納具のケース、１８３は釣り針収納部、１８４は釣り針収納具本体の外壁、１８５は釣り針収納部の一部として形成されている釣り針収納溝、１８６はハリス収納部、１８７は釣り針収納部１８３とハリス収納部１８６の間に形成されている側壁、１８８は側壁１８７のハリス収納部１８６の開口部近傍に形成されている突起である。
【０２２２】
図３７および図３８で、釣り針収納具本体１８０ａはシリコーンゴムで形成されている。また、ケース１８２は釣り針収納具本体１８１の外壁の外径よりもわずかに小さく作られている。
【０２２３】
図３７および図３８の釣り針収納具において、釣り針収納具本体１８１の釣り針収納部１８３とハリス収納部１８６に必要な数のハリス付きイカリ針を収納しておき、釣り針収納具本体１８１にケース１８２を装着する。このような釣り針収納具１８０を用いて釣りを行うときは、ケース１８２を、図３７のように釣り針収納具１８０から引き抜き、図示していないが、釣り針収納部１８３の釣り針収納溝１８５に差し込まれているイカリ針をつまんで引き出すと、イカリ針とそれについているハリスを簡単に、そして安全に取り出すことが出来る。
【０２２４】
図３９および図４０は、本発明の釣り針収納具におけるケース他の例について説明する斜視図である。
【０２２５】
図３９において、符号１９０は本発明の釣り針収納具本体をケースにいれた釣り針収納具、１９０ａは釣り針収納具本体、１９１および１９２は釣り針収納具のケースを構成する部品としての右ケースおよび左ケース、１９３は右ケース１９１と左ケース１９２を繋ぐ蝶番、１９４は左ケース１９２に設けられた雌側のフック、１９５は右ケース１９１に設けられた雄側のフック、１９０ｂは矢印である。
【０２２６】
図３９で、釣り針収納具本体のケースは、図示のように右ケース１９１および左ケース１９２によって構成されており、右ケース１９１と左ケース１９２は蝶番１９３によって開閉可能に接続している。また、フック１９４およびフック１９５は互いに契合するように構成されており、フック１９４およびフック１９５によって左右ケースを閉じた状態にロックすることが出来る。
【０２２７】
図３９を用いて説明したような釣り針収納具を釣りに用いる場合は、フック１９４とフック１９５を外してケースを矢印１９０ｂの方向へ開けて、釣り針収納具１９０から釣り針を取り出して使用することができる。
【０２２８】
図３９を用いて説明したような釣り針収納具を用いると、携帯時に収納した釣り針が人の体や他の部品などに引っかからないため、安全に携帯することが出来る上、ケースが容易に開閉可能なため釣りを行うときも素早く釣り針を取り出すことが出来る。
【０２２９】
図４０において、図３９と同じ符号のものは図３９と同じものを表すことにし、符号１９０ｃは本発明の釣り針収納具本体をケースにいれた釣り針収納具、１９０ｄは釣り針収納具本体、１９７は左ケース１９２に設けられた軸用穴、１９６は軸用穴１９７に契合するように作られた軸、１９０ｅは矢印である。
【０２３０】
釣り針収納具本体１９０ｄの中央部には軸用穴１９７に通した軸１９６を通すことが出来る空洞部（図示せず）が設けられており、図の状態で軸用穴１９７に軸１９６を通すと、釣り針収納具本体１９０ｄと左ケース１９２が接続される。
【０２３１】
図４０を用いて説明したような釣り針収納具を用いると、携帯時に収納した針などが引っかからないため、安全に携帯することが出来る。また、ケース１９２と釣り針収納具本体１９０ｄを軸１９６によって釣り針収納具本体１９０ｄが軸１９６のまわりに回転可能に固定することが出来るため、ケースが非常に容易に開閉可能となり、釣りを行うときも素早く釣り針を取り出すことが出来る。
【０２３２】
ここで、釣り針収納具本体１９０ｄの空洞部を軸１９６の外径より大きくしておくと、右ケース１９１を開いた状態で釣り針収納具本体１９０ｄを少しケースから出すことが出来る。この構造は、用途によっては釣り針の装着を容易にする。
【０２３３】
図４１〜図４４は、本発明の釣り針収納具におけるケースの他の例について説明するための図である。
【０２３４】
図４１および図４２は本発明の釣り針収納具におけるケースの他の例について説明するための図で、図４１は全体の斜視図、図４２は図４１の窓部分を拡大して示した斜視図である。
【０２３５】
図４１および図４２で、符号２００は本発明の釣り針収納具、２００ａは釣り針収納具本体、２０１は釣り針収納具２００のケース、２０２はケース２０１に設けられた窓、２０３は釣り針収納部の釣り針収納溝、２０１ａは矢印である。
【０２３６】
図４１および図４２で、ケース２０１は釣り針収納具本体２００ａの側面の釣り針収納溝２０３の部分を、窓２０２の部分を除いて被っているように形成されている。窓２０２はケース２０１を釣り針収納具本体２００ａに取り付けた状態で釣り針収納溝２０３の位置にくるように構成されている。また、ケース２０１は釣り針収納具本体の側面をスライドして釣り針収納具本体のまわりに回転できるようになっている。
【０２３７】
図４１および図４２に示したような釣り針収納部を用いて釣りを行う場合は、ケース２０１に設けられた窓２０２を通じて、釣り針収納溝２０３から釣り針を取り出して釣りを行う。また、図示の位置とは異なる位置の釣り針収納溝２０３から釣り針を取り出す場合は、ケース２０１を矢印２０１ａの方向にスライドさせて窓２０２の位置をを移動させてそこにある釣り針を取り出すことができる。
【０２３８】
この釣り針収納具は薄型にすることが出来、携帯時に便利で、安全に携帯することが出来るえ、使用時にもケースを取り外す必要がないため、釣り針を指に刺してしまったりすることが非常に少なくなる。また、ケースが容易にスライド可能なため釣りを行うときも素早く釣り針を取り出すことが出来る。
【０２３９】
図４３および図４４は、図４１および図４２を用いて説明した本発明の釣り針収納具のケースの他の例を説明する斜視図で、窓に蓋を付けた例の窓の周囲を拡大して示した図である。
【０２４０】
図４３および図４４で、図４１および図４２と同じ符号のものは図４１および図４２と同じ符号を付けて示す。符号２００ｃと２００ｄは本発明の釣り針収納具、２０１ｂと２０１ｃは矢印、２０４、２０５は窓２０２に付ける蓋で、蓋２０４はスライド式に開閉する蓋、蓋２０５は片側を持ち上げて開閉する蓋である。
【０２４１】
ケース２０１は、ハリス付き釣り針を収納した釣り針収納具本体２００ａに回転可能に取り付けられている。
【０２４２】
図４３で、蓋２０４はケース２０１の外側を矢印２０１ｂの方向へスライドさせることが出来る、窓２０２の大きさより所定の範囲で大きく作られている蓋である。また、図示の位置とは異なる位置の釣り針を取り出したい場合は、ケース２０１を矢印２０１ａの方向へ回転させて、前記と同様に取り出すことが出来る。
【０２４３】
図４４で、蓋２０５はケース２０１の窓２０２に開閉可能に取り付けられており、矢印２０１ｃの方向へ開閉することができ、閉めたときにロックが可能な蓋である。また、図示の位置とは異なる位置の釣り針を取り出したいときは、ケース２０１を矢印２０１ａの方向へ回転させて、前記と同様に取り出すことが出来る。
【０２４４】
図４３および図４４を用いて説明したような釣り針収納具は、薄型化に適しており、さらに、窓の部分に蓋があるため、より安全に携帯することが出来る。
【０２４５】
以上、図面を用いて本発明の釣り針収納具を説明したが、本発明はこれに狭く限定されるものではなく、本発明の基本的技術思想である、たとえば鮎釣り用のハリス付き釣り針のハリスと針先を、ハリスが針軸についた状態のままで、仕切部によってその一方の側と他方の側とに分けてコンパクトに収納するという思想を用いて、多くのバリエーションを可能とするものであることは、以上の説明からも明らかなことである。
【０２４６】
たとえば、図３０に示した本発明の釣り針収納具の例からも明らかであるが，本発明における側壁の切り込み部の傾きをすべて同じ方向にして，右利き用や左利き用のユーザのための釣り針収納具を提供することもでき，切り込み部の傾きが互いに逆方向の切り込み部を混在させて，両者をかねることもできる。また、切り込み部の傾きやその寸法を何種類か設けて，複数種類の収納目的に適した釣り針収納具を作成することもできる。
【０２４７】
以上の説明は、特に改善の要望の強い鮎釣り用のハリス付きイカリ針の収納を例にとって説明した場合が多いが、本発明はこれに狭く限定されるものではない。
【０２４８】
以上記載した本発明の釣り針収納具の実施の形態例は、ハリス付きイカリ針の収納に好適なものである。前記のように、本発明は、前記の仕切部の切り込みの数と形状寸法と釣り針収納部の収納凹部の数と形状寸法を、各一組の鼻環と逆さ針等に対応するように形成することにより、つまみ糸のついた鼻環と逆さ針の収納、あるいは、つまみ糸のついた鼻環と逆さ針と背針の収納に好適な釣り針収納具として、あるいは、ハリス付きイカリ針の釣り針収納具と兼ねたものとして、収納してある釣り針とつまみ糸やハリスを損傷せず、安全に収納でき、安全にそして素早く取り出すことのできる釣り針収納具として、前記の特徴を有する釣り針収納具を提供することができるものである。
【０２４９】
【発明の効果】
以上説明したように、本発明は、従来の課題を一掃し、従来、ハリス同士やハリスと針部が絡まって取り出しにくくなったり、ハリスに有害な変形が生じて使えなくなったりなど多くの問題で困っていた鮎つり用のハリス付きイカリ針をも、ハリスに従来のような有害な変形を生じることなく、ハリスを針軸に付けたままで小型に収納し、釣りに携行したときに必要に応じてイカリ針を素早く、安全に取り出すことができる釣り針収納具を提供することができるという大きな効果をもたらすものであり、あるいは、つまみ糸のついた鼻環と逆さ針と背針などの収納に好適な釣り針収納具を提供することができるなど、その効果は極めて大きなものである。
【図面の簡単な説明】
【図１】本発明の釣り針収納具の実施の形態例として、釣り針収納具本体１つで釣り針収納具を構成した例を説明する斜視図である。
【図２】本発明の釣り針収納具の実施の形態例としての釣り針収納具本体の断面図である。
【図３】本発明の実施の形態例としての釣り針収納具本体の正面図である。
【図４】本発明の実施の形態例としての釣り針収納具本体の正面図である。
【図５】本発明の実施の形態例としての釣り針収納具本体の正面図である。
【図６】本発明の実施の形態例としての釣り針収納具本体の正面図である。
【図７】本発明の実施の形態例としての釣り針収納具本体の釣り針収納溝の形状を説明するための断面図である。
【図８】本発明の実施の形態例としての釣り針収納具本体の釣り針収納溝の形状を説明するための断面図である。
【図９】本発明の実施の形態例としての釣り針収納具本体の釣り針収納溝の形状を説明するための断面図である。
【図１０】本発明の実施の形態例としての釣り針収納具本体の釣り針収納溝の形状を説明するための断面図である。
【図１１】本発明の実施の形態例としての釣り針収納具本体の釣り針収納溝の形状を説明するための断面図である。
【図１２】本発明の実施の形態例としての釣り針収納具本体の釣り針収納溝の形状を説明するための断面図である。
【図１３】本発明の実施の形態例としての釣り針収納具本体の釣り針収納溝の形状を説明するための断面図である。
【図１４】本発明の実施の形態例としての釣り針収納具本体の釣り針収納溝の形状を説明するための断面図である。
【図１５】本発明の実施の形態例としての釣り針収納具本体のハリス収納部に形成されている突起を説明する正面図である。
【図１６】本発明の実施の形態例としての釣り針収納具本体のハリス収納部に形成されている突起を説明する正面図である。
【図１７】本発明の実施の形態例としての釣り針収納具本体のハリス収納部に形成されている突起を説明する正面図である。
【図１８】本発明の実施の形態例としての釣り針収納具本体のハリス収納部に形成されている突起を説明する正面図である。
【図１９】本発明の実施の形態例としての釣り針収納具本体のハリス収納部に形成されている突起を説明する正面図である。
【図２０】本発明の実施の形態例としての釣り針収納具本体の小口側に形成されている釣り針収納溝を説明するための図で、小口側から見た平面図である。
【図２１】本発明の実施の形態例としての釣り針収納具本体の小口側に形成されている釣り針収納溝を説明するための図で、図２１の直線Ｘ７−Ｘ８の位置で切った断面図である。
【図２２】本発明の実施の形態例としての釣り針収納具本体の小口側に形成されている釣り針収納溝とハリス収納部を説明するための図で、小口側から見た平面図である。
【図２３】本発明の実施の形態例としての釣り針収納具本体の小口側に形成されている釣り針収納溝とハリス収納部を説明するための図で、図２２の直線Ｘ９−Ｘ１０の位置で切った断面図である。
【図２４】本発明の実施の形態例としての釣り針収納具本体の小口側に形成されている釣り針収納溝を説明するための図で、小口側から見た平面図である。
【図２５】本発明の実施の形態例としての釣り針収納具本体の小口側に形成されている釣り針収納溝を説明するための図で、小口側から見た平面図である。
【図２６】本発明の実施の形態例としての釣り針収納具本体の小口側に形成されている釣り針収納溝を説明するための図で、小口側から見た平面図である。
【図２７】本発明の実施の形態例としての釣り針収納具本体の小口側に形成されている釣り針収納溝を説明するための図で、小口側から見た平面図である。
【図２８】本発明の実施の形態例としての釣り針収納具本体の小口側に形成されているハリス収納部の例を説明する平面図である。
【図２９】本発明の実施の形態例としての釣り針収納具本体の小口側に形成されているハリス収納部の例を説明する図で、図２８の直線Ｘ１１−Ｘ１２の位置で切った断面図である。
【図３０】本発明の実施の形態例としての釣り針収納具本体を小口側から見た平面図である。
【図３１】本発明の実施の形態例としての図３０の釣り針収納具本体を外側部から見た側面図である。
【図３２】本発明の実施の形態例として図３０と図３１に示した釣り針収納具本体を図３０の直線Ｘ２１−Ｘ２２の位置で切った断面図である。
【図３３】本発明の実施の形態例として図３０〜図３２に示した釣り針収納具本体に鮎釣り用のイカリ針を収納した様子を説明するため、釣り針収納具本体のほぼ半分を拡大して示した平面図である。
【図３４】本発明の釣り針収納具本体の例を説明する断面図である。
【図３５】ケースに装着した本発明の釣り針収納具の例の構造と寸法を説明する断面図である。
【図３６】ケースに装着した本発明の釣り針収納具の例の構造と寸法を説明する断面図である。
【図３７】本発明の釣り針収納具のケースの他の例を説明する斜視図である。
【図３８】図３７の本発明の釣り針収納具を直線Ｘ２５−Ｘ２６の位置で切った断面図である。
【図３９】本発明の釣り針収納具のケースの他の例を説明する斜視図である。
【図４０】本発明の釣り針収納具のケースの他の例を説明する斜視図である。
【図４１】本発明の釣り針収納具のケースの他の例を説明する斜視図である。
【図４２】本発明の釣り針収納具のケースの他の例を説明する斜視図で、窓の周囲を拡大して示した図ある。
【図４３】本発明の釣り針収納具のケースの他の例を説明する斜視図で、窓に蓋を付けた例の窓の周囲を拡大して示した図である。
【図４４】本発明の釣り針収納具のケースの他の例を説明する斜視図で、窓に蓋を付けた例の窓の周囲を拡大して示した図である。
【図４５】従来のハリス付き釣り針の収納具の例の斜視図である。
【図４６】従来のハリス付き釣り針収納具の例の斜視図である。
【符号の説明】
１，１１，３５０，１８０，１９０，１９０ｃ，２００ｃ，２００ｄ：釣り針収納具
２，１２，１８２，２０１，３５１：ケース
３，１３，２０４，２０５：蓋
４，１４，１９３，３５４：蝶番
５：スポンジ
６，６ａ，６ｂ，８６，３３０ａ、３３０ｂ：３本イカリ針
７，７ａ，７ｂ，１７，３３１ａ、３３１ｂ，５０９ａ，５０９ｂ：ハリス
８：溝
１５，磁石
１６：釣り針
４０，４０ａ１〜４０ｈ１，５０，６０，７０，８０，１００，１００ａ〜１００ｄ，１１４，１３０，１８１，１９０ａ，１９０ｄ，２００ａ，３００，３００ａ１，５０１：釣り針収納具本体
４０ａ，１３１，３１７：胴体
４０ｂ，１０８，３０８，５１３：空洞部
４０ｃ，３１１，３１２：中心線
４０ｄ，４０ｅ，５２ａ，５３ａ，７５，７７ａ，１８４，５１０ａ，５１０ｂ：外壁
４０ｆ，４０ｇ，１０１ａ，１０９，１３１ｂ，１３３，３０１ａ，３０１ｃ，５１１ａ，５１１ｂ：小口側
４１，５１：外側部凹部
４２，４３，７８，１０３，１０６，１３８，１８７，３０３，５０５ａ，５０５ｂ：側壁
４４，４５，５７，５８，１０７，１１６，１３６，１８６，３２０，５０３ａ，５０３ｂ：ハリス収納部
４４ａ，４５ａ：収納部底部
４６，４７，５２，５３，５７ｂ、５８ｂ，７５ａ，７７ｂ，１０４，１１８ａ〜１１８ｃ，１３６ａ，３０５，５０４ａ１，５０４ａ２，５０４ｂ１，５０４ｂ２：：内側壁
４２ａ，４２ｂ，４２ｂ１〜４２ｂ３，４３ａ，４３ｂ，４３ｂ１〜４３ｂ３，４６ａ，４６ｂ，４６ｂ１〜４６ｂ３，４７ａ，４７ｂ，４７ｂ１〜４７ｂ３，５４，５５，７７ａ，１１７，１３４，１８８，３０６ａ，３０６ｂ，３５７，５０６：突起
４８，４８ｃ〜４８ｈ，４８ｍ１〜４８ｍ８，１０５，１１０〜１１３，１１５，１３５，１８５，２０３，３０２ｂ，５０７：釣り針収納溝
４８ａ，５１ａ，５７ｃ，５８ｃ：釣り針収納部底部
４８ｂ，５６ａ，１８３，３０２ａ，５０２：釣り針収納部
４８ｎ１，４８ｎ２：入口部分
５７ａ，５８ａ，１２０，３２０ａ，５０３ａ１，５０３ｂ１：開口部
７７：裏面
８５，５０８ａ，５０８ｂ：４本イカリ針
１０１ｂ，１３０ａ，３０１ｂ：外側部
１３１ａ：上面
１０２，１３２，３０７：ドテ
１３７，３０４，５１４ａ１，５１４ａ２，５１４ｂ１，５１４ｂ２：切り込み部
１９０ｂ，１９０ｅ，２０１ａ，２０１ｂ，２０１ｃ：矢印
１９１：右ケース
１９２：左ケース
１９４，１９５：フック
１９６：軸
１９７：軸用穴
２０２：窓
３１０：交点
３１３：釣り針収納溝径方向直線
３１４：切り込み部径方向直線
３１５：接線
３１６：切り込み部中心線
３２１：ハリス収納部底部
３２１ａ：線
３５２：上ケース
３５３：下ケース
３５５：かみ合い部
３５６：突出部
５０５ａ１，５０５ａ２，５０５ｂ１，５０５ｂ２：面
５１２：外側部
θ１，θ１０，θａ，θｂ：角度
φ１，φ２，，φ３，φ４，φ５，φ６，φ７，φ１０：径寸法
Ｌ１：長さ
ｔ３，ｔ１０，ｔ１１：厚み
ｔ１２：高さ
ｔ１３：深さ
ｗ２０：奥行き
ｗ３０：幅
【図１】
2005046007.tif 000003
【図２】
2005046007.tif 000004
【図３】
2005046007.tif 000005
【図４】
2005046007.tif 000006
【図５】
2005046007.tif 000007
【図６】
2005046007.tif 000008
【図７】
2005046007.tif 000009
【図８】
2005046007.tif 000010
【図９】
2005046007.tif 000011
【図１０】
2005046007.tif 000012
【図１１】
2005046007.tif 000013
【図１２】
2005046007.tif 000014
【図１３】
2005046007.tif 000015
【図１４】
2005046007.tif 000016
【図１５】
2005046007.tif 000017
【図１６】
2005046007.tif 000018
【図１７】
2005046007.tif 000019
【図１８】
2005046007.tif 000020
【図１９】
2005046007.tif 000021
【図２０】
2005046007.tif 000022
【図２１】
2005046007.tif 000023
【図２２】
2005046007.tif 000024
【図２３】
2005046007.tif 000025
【図２４】
2005046007.tif 000026
【図２５】
2005046007.tif 000027
【図２６】
2005046007.tif 000028
【図２７】
2005046007.tif 000029
【図２８】
2005046007.tif 000030
【図２９】
2005046007.tif 000031
【図３０】
2005046007.tif 000032
【図３１】
2005046007.tif 000033
【図３２】
2005046007.tif 000034
【図３３】
2005046007.tif 000035
【図３４】
2005046007.tif 000036
【図３５】
2005046007.tif 000037
【図３６】
2005046007.tif 000038
【図３７】
2005046007.tif 000039
【図３８】
2005046007.tif 000040
【図３９】
2005046007.tif 000041
【図４０】
2005046007.tif 000042
【図４１】
2005046007.tif 000043
【図４２】
2005046007.tif 000044
【図４３】
2005046007.tif 000045
【図４４】
2005046007.tif 000046
【図４５】
2005046007.tif 000047
【図４６】
2005046007.tif 000048